(57)【要約】【課題】小型化、軽量化及びコスト削減が可能である並列共振ＬＥＤ二方向性駆動回路を提供する。【解決手段】キャパシティブインピーダンスコンポネント、誘導性インピーダンスコンポネント或いは抵抗性インピーダンスコンポネントによって第一インピーダンスＺ１０１を構成する。キャパシティブインピーダンスコンポネント及び誘導性インピーダンスコンポネントＩ２００を並列接続することによって第二インピーダンスＺ１０２を構成する。第一インピーダンスＺ１０１と第二インピーダンスＺ１０２を直列接続し、その両端に二方向性電気エネルギーを入力する。第一インピーダンスＺ１０１に電気エネルギーの分圧を形成させ、第二インピーダンスＺ１０２の両端に電気エネルギーの分圧を形成させる。二方向性導電発光ダイオードセットＬ１００が電気エネルギーの分圧によって駆動されて発光する。【選択図】図２
2009170917.tif 000002
【特許請求の範囲】
【請求項１】
ＬＥＤ二方向性駆動回路（Ｕ１００）の回路機能及び作動は、キャパシティブインピーダンスコンポネント、誘導性インピーダンスコンポネント或いは抵抗性インピーダンスコンポネントによって第一インピーダンスを構成し、
キャパシティブインピーダンスコンポネントと誘導性インピーダンスコンポネントを並列接続することによって、第二インピーダンスを構成し、第二インピーダンスの固有並列共振周波数は二方向性電気エネルギーの周波数或いは周期と同じであり、かつ並列共振周波数の状態を形成し、
第一インピーダンスと第二インピーダンスが互いに直列接続後の両端に下記の二方向性電気エネルギーを入力し、それは下記を含み、
１．固定或いは可変電圧及び固定或いは可変周波数の交流電気エネルギーを入力し、或いは、
２．直流電源を固定或いは可変電圧、及び固定或いは可変周波数或いは周期の二方向性正弦波電圧、二方向性方波電圧或いは二方向性脈動波形の電圧に転換する交流電気エネルギーを入力し、或いは、
３．交流電気エネルギーを直流電気エネルギーに整流してから、固定或いは可変電圧へ再転換し、及び固定或いは可変周波数或いは周期の二方向性正弦波電圧、二方向性方波電圧或いは二方向性脈動波形の電圧の交流電気エネルギーを入力し、
二方向性導電発光ダイオードセット（Ｌ１００）を設け、二方向性導電発光ダイオードセット（Ｌ１００）は第一発光ダイオード（ＬＥＤ１０１）と第二発光ダイオード（ＬＥＤ１０２）を逆極性に並列接続することによって構成し、第一発光ダイオード（ＬＥＤ１０１）と第二発光ダイオード（ＬＥＤ１０２）の数量は同じ或いは異なることが可能で、第一発光ダイオード（ＬＥＤ１０１）と第二発光ダイオード（ＬＥＤ１０２）は一個の個別順方向電流極性発光ダイオードによって構成し、或いは、二個や二個以上の順方向電流極性発光ダイオードを直列接続或いは並列接続することによって構成し、或いは、三個や三個以上の順方向電流極性発光ダイオードを直列接続、並列接続、直並列接続することによって構成し、
二方向性導電発光ダイオードセット（Ｌ１００）はニーズによって一セット或いは一セット以上を選択設置し、第一インピーダンス（Ｚ１０１）或いは第二インピーダンス（Ｚ１０２）の二者或いはその中の一つの両端を並列接続し、入力する電気エネルギーを通して、第一インピーダンス（Ｚ１０１）の両端及び第二インピーダンス（Ｚ１０２）の両端に電気エネルギーの分圧を形成することによって、第一インピーダンス（Ｚ１０１）或いは第二インピーダンス（Ｚ１０２）の両端に並列接続する二方向性導電発光ダイオードセット（Ｌ１００）を駆動して発光し、かつ並列共振するＬＥＤ二方向性駆動回路を構成し、この主な構成は下記を含み、
第一インピーダンス（Ｚ１０１）は下記を含み、
１．第一インピーダンス（Ｚ１０１）はコンデンサー（Ｃ１００）や誘導性インピーダンスコンポネントや抵抗性インピーダンスコンポネントによって構成され、或いは、その中の一種や一種以上及び一個や一個以上のインピーダンスコンポネントによって構成され、或いは、二種や二種以上のインピーダンスコンポネントによって構成され、かつ各種のインピーダンスコンポネントは別々に各一個或いは一個以上が直列接続、並列接続又は直並列接続することによって構成されることによって、直流性質のインピーダンス或いは交流性質のインピーダンスを提供し、或いは、
２．第一インピーダンス（Ｚ１０１）はキャパシティブインピーダンスコンポネントと誘導性インピーダンスコンポネントを互いに直列接続し、二者を直列接続してからの固有直列共振周波数は二方向性電源の交流電気エネルギーの周波数或いは直流電気エネルギーによって転換される固定や可変交換極性周期の電気エネルギーの交換極性周期と同じで、かつ直列共振状態を形成し、或いは、
３．第一インピーダンス（Ｚ１０１）はキャパシティブインピーダンスと誘導性インピーダンスコンポネントを互いに並列接続し、二者を並列接続してからの固有並列共振周波数は二方向性電源の交流電源の周波数或いは直流電源によって転換される固定或いは可変交換極性周期の電気エネルギーの交換極性周期と同じで、かつ並列共振周波数の低エネルギー消耗性に交互に切り替える極性のエネルギー貯蔵状態及び第二インピーダンスと相対分圧の端電圧状態を形成し、
第二インピーダンス（Ｚ１０２）は下記を含み、
誘導性インピーダンスコンポネント（Ｉ２００）とコンデンサー（Ｃ２００）を並列接続することによって構成し、かつ電源からの二方向性電気エネルギーは、例えば、交流電気エネルギー周波数或いは直流電気エネルギーによって転換される固定や可変電圧及び固定や可変交換極性周期の電気エネルギーの交換極性周期と同じで、かつ相対並列共振状態を形成し、第一インピーダンスと相対分圧の端子電圧状態を形成し、
並列共振ＬＥＤ二方向性駆動回路はニーズによってキャパシティブインピーダンスコンポネント、誘導性インピーダンスコンポネント、抵抗性インピーダンスコンポネントを選択することが可能で、三者の中から少なくとも一種のインピーダンスコンポネントによって第一インピーダンス（Ｚ１０１）を構成し、
第一インピーダンス（Ｚ１０１）と第二インピーダンス（Ｚ１０２）を互いに直列接続し、第一インピーダンス（Ｚ１０１）と第二インピーダンス（Ｚ１０２）を互いに直列接続してからの両端に下記の二方向性電気エネルギーを入力することを含み、
１．固定或いは可変電圧及び固定或いは可変周波数の交流電気エネルギーを入力し、或いは、
２．直流電源を固定或いは可変電圧、及び固定或いは可変周波数或いは周期の二方向性正弦波電圧、二方向性方波電圧或いは二方向性脈動波形の電圧に転換する交流電気エネルギーを入力し、或いは、
３．交流電気エネルギーを直流電気エネルギーに整流してから、固定或いは可変電圧へ再転換し、及び固定或いは可変周波数或いは周期の二方向性正弦波電圧、二方向性方波電圧或いは二方向性脈動波形の電圧の交流電気エネルギーを入力し、
二方向性導電発光ダイオードセット（Ｌ１００）は第一発光ダイオード（ＬＥＤ１０１）と第二発光ダイオード（ＬＥＤ１０２）が逆極性に並列接続することによって構成され、第一発光ダイオード（ＬＥＤ１０１）と第二発光ダイオード（ＬＥＤ１０２）の数量は同じ或いは異なることが可能で、第一発光ダイオード（ＬＥＤ１０１）と第二発光ダイオード（ＬＥＤ１０２）は一個の個別順方向電流極性発光ダイオードによって構成され、或いは、二個或いは二個以上の順方向電流極性発光ダイオードが直列或いは並列接続して構成され、或いは、三個や三個以上の順方向電流極性発光ダイオードを直列接続、並列接続、又は直並列接続して構成され、
二方向性導電発光ダイオードセット（Ｌ１００）はニーズによって一セット或いは一セット以上が選択設置されることによって、第一インピーダンス（Ｚ１０１）或いは第二インピーダンス（Ｚ１０２）の二者或いはその中の一つの両端に並列接続し、入力する電気エネルギーが第一インピーダンス（Ｚ１０１）の両端及び第二インピーダンス（Ｚ１０２）の両端に形成する電気エネルギー分圧を通して、第一インピーダンス（Ｚ１０１）或いは第二インピーダンス（Ｚ１０２）の両端に並列接続する二方向性導電発光ダイオードセット（Ｌ１００）を駆動して発光し、
並列共振ＬＥＤ二方向性駆動回路のＬＥＤ二方向性駆動回路（Ｕ１００）の中にある第一インピーダンス（Ｚ１０１）と第二インピーダンス（Ｚ１０２）及び二方向性導電発光ダイオードセット（Ｌ１００）はニーズによって別々に一個或いは一個以上の選択が可能であり、
第一インピーダンス（Ｚ１０１）、第二インピーダンス（Ｚ１０２）、二方向性導電発光ダイオードセット（Ｌ１００）、第一発光ダイオード（ＬＥＤ１０１）、第二発光ダイオード（ＬＥＤ１０２）及び上記の各項のオプション補助性回路コンポネントはニーズによって設置するかしないかの選択が可能であり、設置数量は一個によって構成されるものを含み、一個以上を選択する場合、応用時の回路機能のニーズによって相対極性関係を選定し、直列、並列、直並列に接続することを特徴とする並列共振ＬＥＤ二方向性駆動回路。
【請求項２】
第一インピーダンス（Ｚ１０１）は、コンデンサー（Ｃ１００）によって構成され、特に二極性キャパシティブによって構成され、第一インピーダンスの数量は一個或いは一個以上であり、
第二インピーダンス（Ｚ１０２）は誘導性インピーダンスコンポネント（Ｉ２００）及びコンデンサー（Ｃ２００）を並列接続することによって構成され、特に誘導性インピーダンスコンポネントと二極性キャパシティブによって構成されることを指し、その周波数は二方向性電気エネルギーの交流電気エネルギー周波数或いは直流電気エネルギーによって転換される固定或いは可変電圧及び固定或いは可変交換極性周期の電気エネルギーの交換極性周期と同じで、かつ並列共振状態を形成し、第二インピーダンスの数量は一個或いは一個以上であり、
第一インピーダンス（Ｚ１０１）と第二インピーダンス（Ｚ１０２）を直列接続し、直列接続してからの両端へ二方向性電気エネルギーを入力し、また第二インピーダンス（Ｚ１０２）に並列共振を示す電気エネルギーの分圧を形成し、分圧の電気エネルギーによって二方向性導電発光ダイオードセット（Ｌ１００）を駆動し、
二方向性導電発光ダイオードセット（Ｌ１００）は第一発光ダイオード（ＬＥＤ１０１）と第二発光ダイオード（ＬＥＤ１０２）が逆極性に並列接続することによって構成され、第一発光ダイオード（ＬＥＤ１０１）と第二発光ダイオード（ＬＥＤ１０２）の数量は同じ或いは異なることが可能で、第一発光ダイオード（ＬＥＤ１０１）と第二発光ダイオード（ＬＥＤ１０２）は一個の個別順方向電流極性発光ダイオードによって構成され、或いは、二個或いは二個以上の順方向電流極性発光ダイオードが直列或いは並列接続して構成され、或いは、三個や三個以上の順方向電流極性発光ダイオードを直列接続、並列接続、直並列接続して構成され、二方向性導電発光ダイオードセット（Ｌ１００）はニーズによって一セット或いは一セット以上を選択設置されることによって、第一インピーダンス（Ｚ１０１）或いは第二インピーダンス（Ｚ１０２）の二者或いはその中の一つの両端に並列接続し、入力する電気エネルギーが第一インピーダンス（Ｚ１０１）の両端及び第二インピーダンス（Ｚ１０２）の両端に形成する電気エネルギー分圧を通して、第一インピーダンス（Ｚ１０１）或いは第二インピーダンス（Ｚ１０２）の両端に並列接続する二方向性導電発光ダイオードセット（Ｌ１００）を駆動して発光し、或いは、
二方向性導電発光ダイオードセット（Ｌ１００）を第二インピーダンス（Ｚ１０２）の両端に並列接続し、二方向性電気エネルギーの周期が並列共振を示す第二インピーダンス（Ｚ１０２）の両端の分電圧の電気エネルギーによって駆動され、また第一インピーダンス（Ｚ１０１）のインピーダンスを通して電流を制限し、特にコンデンサー（Ｃ１００）、例えば、二極性コンデンサーを第一インピーダンスコンポネントとして選択使用するとき、キャパシティブインピーダンスを通して出力電流を制限し、
第一インピーダンス（Ｚ１０１）、第二インピーダンス（Ｚ１０２）、二方向性導電発光ダイオードセット（Ｌ１００）を通して、上記の回路構造に従って接続し、ＬＥＤ二方向性駆動回路（Ｕ１００）を構成することを特徴とする請求項１記載の並列共振ＬＥＤ二方向性駆動回路。
【請求項３】
二方向性導電発光ダイオードセット（Ｌ１００）を通して、第二インピーダンス（Ｚ１０２）と並列接続し、電流分流効果を形成することによって、電源電圧が変動するとき、二方向性導電発光ダイオードセット（Ｌ１００）の両端に相対する電源の電圧変動率を減少させることが可能であることを特徴とする請求項１記載の並列共振ＬＥＤ二方向性駆動回路。
【請求項４】
第一インピーダンス（Ｚ１０１）の不使用を選択することが可能で、直接電源からの二方向性電気エネルギーと並列共振する第二インピーダンス（Ｚ１０２）を二方向性電気エネルギーに並列接続する電源であることを特徴とする請求項１または請求項２記載の並列共振ＬＥＤ二方向性駆動回路。
【請求項５】
第一発光ダイオード（ＬＥＤ１０１）或いは第二発光ダイオード（ＬＥＤ１０２）の中の一つは、ダイオード（ＣＲ１００）によって取り替えられ、またダイオード（ＣＲ１００）の電流の流れる方向は並列接続と保留される第一発光ダイオード（ＬＥＤ１０１）或いは第二発光ダイオード（ＬＥＤ１０２）の作動電流の流れる方向と逆極性に並列接続することが可能であることを特徴とする請求項１記載の並列共振ＬＥＤ二方向性駆動回路。
【請求項６】
二方向性導電発光ダイオードセット（Ｌ１００）の第一発光ダイオード（ＬＥＤ１０１）及び第二発光ダイオード（ＬＥＤ１０２）の中に同時に限流抵抗（Ｒ１０３）及び限流抵抗（Ｒ１０４）を設置する場合、限流機能を得るために、限流抵抗（Ｒ１００）を直接に二方向性導電発光ダイオードセット（Ｌ１００）と直列接続することによって取り替え、或いは、同時に設置することが可能であり、限流抵抗（Ｒ１００）は誘導性インピーダンスコンポネント（Ｉ１００）によって取り替えることが可能であり、上記回路構造及び補助回路コンポネントの選択に従ってＬＥＤ二方向性駆動回路Ｕ１００を構成することを特徴とする請求項１記載の並列共振ＬＥＤ二方向性駆動回路。
【請求項７】
更に二方向性導電発光ダイオードセット（Ｌ１００）を構成する第一発光ダイオード（ＬＥＤ１０１）及び第二発光ダイオード（ＬＥＤ１０２）の両端に別々にツェナーダイオードを並列接続し、或いは、ツェナーダイオードをまずダイオードと直列に接続し、ツェナー電圧効果を生じさせてから、別々に第一発光ダイオード（ＬＥＤ１０１）或いは第二発光ダイオード（ＬＥＤ１０２）の両端に並列接続し、その構成は下記を含み、
二方向性導電発光ダイオードセット（Ｌ１００）を構成する第一発光ダイオード（ＬＥＤ１０１）の両端をツェナーダイオード（ＺＤ１０１）と並列接続し、その極性関係はツェナーダイオード（ＺＤ１０１）のツェナー電圧によって第一発光ダイオード（ＬＥＤ１０１）の両端の作動電圧を制限し、
ツェナーダイオード（ＺＤ１０１）はニーズによってダイオード（ＣＲ２０１）を選択設置し、ツェナーダイオード（ＺＤ１０１）との直列接続が可能であり、その利点は１．ツェナーダイオード（ＺＤ１０１）を保護し、逆方向電流を防ぐことが可能であり、２．ダイオード（ＣＲ２０１）とツェナーダイオード（ＺＤ１０１）の二者は温度補償効果を持っており、
もし二方向性導電発光ダイオードセット（Ｌ１００）に第二発光ダイオード（ＬＥＤ１０２）を選択使用するとき、ニーズによって第二発光ダイオード（ＬＥＤ１０２）の両端を選択し、ツェナーダイオード（ＺＤ１０２）と並列に接続することが可能で、その極性関係はツェナーダイオード（ＺＤ１０２）のツェナー電圧によって第二発光ダイオード（ＬＥＤ１０２）の両端の作動電圧を制限し、
ツェナーダイオード（ＺＤ１０２）はニーズによってダイオード（ＣＲ２０２）を選択設置し、ツェナーダイオード（ＺＤ１０２）と直列に接続することが可能で、その利点は１．ツェナーダイオード（ＺＤ１０２）を保護し、逆方向電流を防ぐことが可能であり、２．ダイオード（ＣＲ２０２）とツェナーダイオード（ＺＤ１０２）の二者は温度補償効果を持っていることを特徴とする請求項１記載の並列共振ＬＥＤ二方向性駆動回路。
【請求項８】
ＬＥＤ二方向性駆動回路（Ｕ１００）の中にある二方向性導電発光ダイオードセット（Ｌ１００）は、第一発光ダイオード（ＬＥＤ１０１）及び逆方向に並列接続する第二発光ダイオード（ＬＥＤ１０２）によって組み立てるとき、その構成は下記を含み、
ニーズによって第一発光ダイオード（ＬＥＤ１０１）の両端にツェナーダイオード（ＺＤ１０１）を並列接続し、及び第二発光ダイオード（ＬＥＤ１０２）の両端にツェナーダイオード（ＺＤ１０２）を並列接続し、その極性関係はツェナーダイオード（ＺＤ１０１）のツェナー電圧によって第一発光ダイオード（ＬＥＤ１０１）の両端の作動電圧を制限し、及びツェナーダイオード（ＺＤ１０２）のツェナー電圧によって第二発光ダイオード（ＬＥＤ１０２）の両端の作動電圧を制限することを特徴とする請求項１記載の並列共振ＬＥＤ二方向性駆動回路。
【請求項９】
ツェナーダイオードの構成は下記を含み、
１．二方向性導電発光ダイオードセット（Ｌ１００）を構成する第一発光ダイオード（ＬＥＤ１０１）の両端にツェナーダイオード（ＺＤ１０１）を並列接続すると同時に、第二発光ダイオード（ＬＥＤ１０２）の両端にツェナーダイオード（ＺＤ１０２）を並列接続し、或いは、
２．二個のツェナーダイオード（ＺＤ１０１）及びツェナーダイオード（ＺＤ１０２）を逆方向に直列接続してから、更に二方向性導電発光ダイオードセット（Ｌ１００）の両端に並列接続し、或いは、
３．二方向性ツェナー効果を持つダイオードと並列接続する二方向性導電発光ダイオードセット（Ｌ１００）の回路に取り替えることを特徴とする請求項７記載の並列共振ＬＥＤ二方向性駆動回路。
【請求項１０】
第一発光ダイオード（ＬＥＤ１０１）に充放電可能装置（ＥＳＤ１０１）を設置し、或いは、第二発光ダイオード（ＬＥＤ１０２）に充放電可能装置（ＥＳＤ１０２）を設置することが可能であり、充放電可能装置（ＥＳＤ１０１）及び充放電可能装置（ＥＳＤ１０２）はアットランダムに充電或いは電気エネルギーを放出する特性があって、第一発光ダイオード（ＬＥＤ１０１）或いは第二発光ダイオード（ＬＥＤ１０２）の発光を安定させ、また発光照度の脈動を下げることが可能であり、充放電可能装置（ＥＳＤ１０１）と充放電可能装置（ＥＳＤ１０２）は各種のよく使われる充放電可能な電池、超コンデンサー、コンデンサーによって構成されることを特徴とする請求項１記載の並列共振ＬＥＤ二方向性駆動回路。
【請求項１１】
充放電可能装置の応用回路を加設することは下記を含み、
限流抵抗（Ｒ１０３）を第一発光ダイオード（ＬＥＤ１０１）と直列接続後の両端に充放電可能装置（ＥＳＤ１０１）を並列に接続することが可能であり、
或いは、更に限流抵抗（Ｒ１０４）を第二発光ダイオード（ＬＥＤ１０２）と直列に接続してからの両端に充放電可能装置（ＥＳＤ１０２）を並列に接続することが可能であることを特徴とする請求項１記載の並列共振ＬＥＤ二方向性駆動回路。
【請求項１２】
更に第一発光ダイオード、第二発光ダイオード及び直列に接続する限流抵抗の両端に充充放電可能装置の回路を並列接続することが可能であり、その構成は下記を含み、
第一発光ダイオード（ＬＥＤ１０１）と限流抵抗（Ｒ１０３）を直列に接続してからの両端或いは直接第一発光ダイオード（ＬＥＤ１０１）の両端に極性に従って充放電可能装置（ＥＳＤ１０１）を並列接続し、充放電可能装置（ＥＳＤ１０１）はアットランダムに充電或いは電気エネルギーを放出する特性があって、第一発光ダイオード（ＬＥＤ１０１）の発光作動を安定させ、発光照度の脈動を下げることが可能であり、
第二発光ダイオード（ＬＥＤ１０２）を選択したとき、第二発光ダイオード（ＬＥＤ１０２）を限流抵抗（Ｒ１０４）と直列に接続してからの両端に極性に従って充放電可能装置（ＥＳＤ１０２）を並列接続し、充放電可能装置（ＥＳＤ１０２）はアットランダムに充電或いは電気エネルギーを放出する特性があって、第二発光ダイオード（ＬＥＤ１０２）の発光作動を安定させ、発光照度の脈動を下げることが可能であり、
ＬＥＤ二方向性駆動回路（Ｕ１００）に第一発光ダイオード（ＬＥＤ１０１）及び逆方向並列ダイオード（ＣＲ１００）を選択したとき、主な回路構造は第一発光ダイオード（ＬＥＤ１０１）と限流抵抗（Ｒ１０３）を直列に接続してからの両端に極性に従って充放電可能装置（ＥＳＤ１０１）を並列接続し、充放電可能装置（ＥＳＤ１０１）はアットランダムに充電或いは電気エネルギーを放出する特性があって、第一発光ダイオード（ＬＥＤ１０１）の発光作動を安定させ、発光照度の脈動を下げることが可能であり、
充放電可能装置（ＥＳＤ１０１）、充放電可能装置（ＥＳＤ１０２）は各種のよく使われる充放電可能な電池、超コンデンサー、コンデンサーによって構成されることを特徴とする請求項１記載の並列共振ＬＥＤ二方向性駆動回路。
【請求項１３】
ＬＥＤ二方向性駆動回路（Ｕ１００）に限流抵抗（Ｒ１００）を選択し、限流抵抗（Ｒ１０３）、限流抵抗（Ｒ１０４）を取り替えることによって、二方向性導電発光ダイオードセット（Ｌ１００）の共用限流抵抗とするとき、その主な回路構造は下記を含み、
充放電可能装置（ＥＳＤ１０１）を直接に同極性の第一発光ダイオード（ＬＥＤ１０１）の両端に並列接続し、充放電可能装置（ＥＳＤ１０２）を同極性第二発光ダイオード（ＬＥＤ１０２）の両端に並列接続し、充放電可能装置（ＥＳＤ１０１）及び充放電可能装置（ＥＳＤ１０２）はアットランダムに充電或いは電気エネルギーを放出する特性があり、
充放電可能装置（ＥＳＤ１０１）、充放電可能装置（ＥＳＤ１０２）は各種のよく使われる充放電可能な電池、超コンデンサー、コンデンサーによって構成されることを特徴とする請求項１記載の並列共振ＬＥＤ二方向性駆動回路。
【請求項１４】
二方向性導電発光ダイオードセット（Ｌ１００）の両端に充放電可能装置を加設し、アットランダムに充電或いは電気エネルギーを放出することによって、二方向性導電発光ダイオードセット（Ｌ１００）の中の第一発光ダイオード（ＬＥＤ１０１）と第二発光ダイオード（ＬＥＤ１０２）の発光を安定させる以外に、断電時、充放電可能装置より貯蔵した電気エネルギーを出力することにより、第一発光ダイオード（ＬＥＤ１０１）或いは第二発光ダイオード（ＬＥＤ１０２）の少なくともその中の一つを駆動し、持続発光させ、使用する充放電可能装置（ＥＳＤ１０１）或いは充放電可能装置（ＥＳＤ１０２）が単極性の場合は、第一発光ダイオード（ＬＥＤ１０１）と単極性充放電可能装置（ＥＳＤ１０１）を並列に接続してから、逆方向電圧による単極性充放電可能装置の破損を防ぐために、順極性に直列接続するダイオード（ＣＲ１０１）をオプションにすることが可能であり、第二発光ダイオード（ＬＥＤ１０２）と単極性充放電可能装置（ＥＳＤ１０２）を並列に接続してから、逆方向電圧による単極性充放電可能装置の破損を防ぐために、ニーズによって順極性に直列接続するダイオード（ＣＲ１０２）を選択設置することが可能であり、
充放電可能装置（ＥＳＤ１０１）、充放電可能装置（ＥＳＤ１０２）は各種のよく使われる充放電可能な電池、超コンデンサー、コンデンサーによって構成されることを特徴とする請求項１記載の並列共振ＬＥＤ二方向性駆動回路。
【請求項１５】
二方向性導電発光ダイオードセット（Ｌ１００）のダイオード二方向性導電発光機能の構成方式は、第一発光ダイオード（ＬＥＤ１０１）とダイオード（ＣＲ１０１）を逆極性に並列接続し、及び第二発光ダイオード（ＬＥＤ１０２）とダイオード（ＣＲ１０２）を逆極性に並列接続してから、二者を逆方向に直列接続することによって、二方向性導電発光ダイオードセットを構成することを含むことを特徴とする請求項１記載の並列共振ＬＥＤ二方向性駆動回路。
【請求項１６】
ＬＥＤ二方向性駆動回路（Ｕ１００）の中に一セットの二方向性導電発光ダイオードセット（Ｌ１００）の選択設置が可能で、或いは、一セット以上の二方向性導電発光ダイオードセット（Ｌ１００）を選択設置し、直列、並列、直並列接続し、一セット或いは一セット以上を選択設置するとき、共同して共用する第二インピーダンス（Ｚ１０２）の分圧電気エネルギーによって駆動されることが可能で、或いは、直列や並列接続する多セットの第二インピーダンス（Ｚ１０２）より個別にマッチされ、多セットの第二インピーダンス（Ｚ１０２）の分圧電気エネルギーによって個別にマッチする二方向性導電発光ダイオードセット（Ｌ１００）を駆動することを特徴とする請求項１記載の並列共振ＬＥＤ二方向性駆動回路。
【請求項１７】
充放電可能装置（ＥＳＤ１０１）を設置しない場合、第一発光ダイオード（ＬＥＤ１０１）は断続導電となり、第一発光ダイオード（ＬＥＤ１０１）は入力電圧波形及び導電と断電時間の割合に従って、また通電発光時の順電流値を相対選定し、及び二方向性導電性発光ダイオードセット（Ｌ１００）の各発光ダイオードの通電発光時の順電圧ピーク値の構成を相対選択することによって、回路中の第一発光ダイオード（ＬＥＤ１０１）が断続導電の駆動状態である場合、導電と断電時間の割合によって定格順電圧より高い値を通電発光の順電圧ピーク値として選定し、ただし原則として通電発光の順電圧ピーク値は第一発光ダイオード（ＬＥＤ１０１）にダメージを与えてはならないことを特徴とする請求項１記載の並列共振ＬＥＤ二方向性駆動回路。
【請求項１８】
充放電可能装置を設置しない場合は、通電発光の順電圧の高低及び波形は、通電発光の順電圧が通電発光の順電流に対するレシオの電流大小及び電流波形を形成し、ただし原則として通電発光の順電流ピーク値は第一発光ダイオード（ＬＥＤ１０１）或いは第二発光ダイオード（ＬＥＤ１０２）にダメージを与えてはならないことを特徴とする請求項１記載の並列共振ＬＥＤ二方向性駆動回路。
【請求項１９】
直列式二方向性電気エネルギーパワーコントローラーに直列接続することが可能であり、直列式二方向性電気エネルギーパワーコントローラーの構成は下記を含み、
直列式二方向性電気エネルギーパワーコントローラー（３００）はよく使われるメカトロニクスコンポネント或いは固体パワーコンポネント及び電子回路関連コンポネントによって構成され、二方向性電気エネルギーの出力パワーを制御し、
回路の作動機能は下記の通りであり、
１．直列式二方向性電気エネルギーパワーコントローラー（３００）をＬＥＤ二方向性駆動回路（Ｕ１００）と直列接続し、二者を直列接続してから、電源からの二方向性電気エネルギーを入力し、直列式二方向性電気エネルギーパワーコントローラー（３００）を通して、電源からの二方向性電気エネルギーを調整制御し、またパルス幅変調を行い、或いは、導電の位相角を制御し、或いは、インピーダンスの調整制御等の方式でパワーを調整制御することによって、ＬＥＤ二方向性駆動回路（Ｕ１００）を駆動し、或いは、
２．直列式二方向性電気エネルギーパワーコントローラー（３００）を第二インピーダンス（Ｚ１０２）と二方向性導電発光ダイオードセット（Ｌ１００）との間に直列接続し、直列式二方向性電気エネルギーパワーコントローラー（３００）を経て、第二インピーダンス（Ｚ１０２）の両端からの並列共振を示す分圧二方向性電気エネルギーを調整制御し、パルス幅変調を行い、或いは、導電の位相角を制御し、或いは、インピーダンスの調整制御等の方式でパワーを調整制御することによって、二方向性導電発光ダイオードセット（Ｌ１００）を駆動することを特徴とする請求項１記載の並列共振ＬＥＤ二方向性駆動回路。
【請求項２０】
並列式二方向性電気エネルギーパワーコントローラーに並列接続することが可能であり、並列式二方向性電気エネルギーパワーコントローラーの構成は下記を含み、
並列式二方向性電気エネルギーパワーコントローラー（４００）はよく使われるメカトロニクスコンポネント或いは固体パワーコンポネント及び電子回路関連コンポネントによって構成され、二方向性電気エネルギーの出力パワーを制御し、
回路の作動機能は下記通りであり、
１．並列式二方向性電気エネルギーパワーコントローラー（４００）の出力端をＬＥＤ二方向性駆動回路（Ｕ１００）と並列接続し、かつ並列式二方向性電気エネルギーパワーコントローラー（４００）の入力端へ電源からの二方向性電気エネルギーを入力し、並列式二方向性電気エネルギーパワーコントローラー（４００）を通して、電源からの二方向性電気エネルギーを調整制御し、パルス幅変調を行い、或いは、導電の位相角を制御し、或いは、インピーダンスを調整制御する等の方式でパワーを調整制御することにより、ＬＥＤ二方向性駆動回路（Ｕ１００）を駆動し、或いは、
２．並列式直流の電気エネルギーパワーコントローラー（４００）の出力端を二方向性導電発光ダイオードセット（Ｌ１００）の入力端と並列接続し、かつ並列式二方向性電気エネルギーパワーコントローラー（４００）の入力端を第二インピーダンス（Ｚ１０２）と並列接続し、並列式二方向性電気エネルギーパワーコントローラー（４００）を通して、第二インピーダンス（Ｚ１０２）の両端からの並列共振を示す分圧二方向性電気エネルギーを調整制御し、パルス幅変調を行い、或いは、導電の位相角を制御し、或いは、インピーダンスを調整制御する等の方式でパワーを調整制御し、二方向性導電発光ダイオードセット（Ｌ１００）を駆動することを特徴とする請求項１記載の並列共振ＬＥＤ二方向性駆動回路。
【請求項２１】
ＤＣ−ＡＣインバータより出力する電気エネルギーを受けてから駆動し、その主な構成は下記を含み、
ＤＣ−ＡＣインバータ（４０００）はよく使われるメカトロニクス或いは固体パワーコンポネント及び電子回路関連コンポネントより構成され、入力端にはニーズによって選定する固定或いは可変電圧の直流の電気エネルギーを入力し、或いは、交流電気エネルギーを整流後の直流電気エネルギーを入力し、出力端はニーズによって選定する固定或いは可変電圧、及び固定或いは可変交換極性周波数或いは周期の二方向性正弦波、二方向性方波或いは二方向性脈動波の二方向性交流電気エネルギーを出力することによって、二方向性電気エネルギーの電源を給電し、
回路の作動機能は下記の通りであり、
ＬＥＤ二方向性駆動回路（Ｕ１００）をよく使われるＤＣ−ＡＣインバータ（４０００）の出力端に並列接続し、ＤＣ−ＡＣインバータ（４０００）の入力端にはニーズによって選定する固定或いは可変電圧直流電気エネルギーを入力し、或いは、交流電気エネルギーを整流後の直流電気エネルギーを入力し、
ＤＣ−ＡＣインバータ（４０００）の出力端はニーズによって選定する固定或いは可変電圧、及び固定或いは極性周期可変な二方向性正弦波、二方向性方波或いは二方向性脈動波の電気エネルギーを出力することによって、ＬＥＤ二方向性駆動回路（Ｕ１００）の中で直列連続する第一インピーダンス（Ｚ１０１）と第二インピーダンス（Ｚ１０２）の両端へ出力し、また第二インピーダンス（Ｚ１０２）の両端の分圧電気エネルギーを二方向性導電の発光ダイオードセット（Ｌ１００）へ出力し、
またＤＣ−ＡＣインバータ（４０００）の出力パワーの制御を通して、並列共振のＬＥＤ二方向性駆動回路（Ｕ１００）への出力或いは電気エネルギーの出力を制御することによって、パルス幅変調或いは導電の位相角を制御し、或いは、インピーダンスの調整制御等の方式でパワーを制御することによって、ＬＥＤ二方向性駆動回路（Ｕ１００）を制御及び駆動することを特徴とする請求項１記載の並列共振ＬＥＤ二方向性駆動回路。
【請求項２２】
ＬＥＤ二方向性駆動回路（Ｕ１００）をよく使われるインピーダンスコンポネント（５００）と直列に接続してから、電源と並列に接続し、インピーダンスコンポネント（５００）は下記を含み、
１．インピーダンスコンポネント（５００）は抵抗性インピーダンス特性を持つコンポネントより構成し、或いは、
２．インピーダンスコンポネント（５００）は誘導性インピーダンス特性を持つデバイスより構成し、或いは、
３．インピーダンスコンポネント（５００）はキャパシティブインピーダンス特性を持つコンポネントより構成し、或いは、
４．インピーダンスコンポネント（５００）は単一インピーダンスコンポネントが同時に抵抗性インピーダンス、誘導性インピーダンス或いはキャパシティブインピーダンスの中で少なくとも二種の合成インピーダンス特性を持つコンポネントより構成されることによって、直流性質のインピーダンス或いは交流性質のインピーダンスを提供し、或いは、
５．インピーダンスコンポネント（５００）は単一インピーダンスコンポネントが誘導性インピーダンス及びキャパシティブインピーダンスの合成インピーダンス特性を持つコンポネントより構成され、かつ固有並列共振周波数と電源からの二方向性電気エネルギーの周波数或いは周期は同じで、また並列共振状態になることが可能であり、或いは、
６．インピーダンスコンポネント（５００）はキャパシティブインピーダンスコンポネント、誘導性インピーダンスコンポネント或いは抵抗性インピーダンスコンポネントより構成され、その中の一種或いは一種以上を含み、及び一個或いは一個以上のインピーダンスコンポネントより構成され、或いは、二種或いは二種以上の直列に接続するインピーダンスコンポネントを採用し、或いは、並列や直並列接続により構成され、直流性質のインピーダンス或いは交流性質のインピーダンスを提供し、或いは、
７．インピーダンスコンポネント（５００）はキャパシティブインピーダンスコンポネントと誘導性インピーダンスコンポネントが互いに直列に接続することにより構成され、直列に接続してからの固有直列共振周波数と電源からの二方向性電気エネルギーの周波数或いは周期は同じで、かつ直列共振状態を形成し、また相対的にキャパシティブインピーダンスコンポネント或いは誘導性インピーダンスコンポネントの両端に直列共振を示す相対端の電圧を形成することが可能であり、
或いは、キャパシティブインピーダンスと誘導性インピーダンスを互いに並列接続し、並列接続してからの固有並列共振周波数と電源からの二方向性電気エネルギーの周波数或いは周期は同じで、かつ並列共振状態を形成し、及び相対の端電圧を形成することが可能であることを特徴とする請求項１記載の並列共振ＬＥＤ二方向性駆動回路。
【請求項２３】
第二インピーダンス（Ｚ１０２）の誘導性インピーダンスコンポネント（Ｉ２００）の選択は、更に誘導効果を持つ変圧器電源巻線によって取り替えることが可能で、単巻変圧器（ＳＴ２００）の昇圧機能を持つ単巻変圧巻線（Ｗ０）を示し、単巻変圧器（ＳＴ２００）の単巻変圧巻線（Ｗ０）のｂ端、ｃ端を電源側とし、第二インピーダンス（Ｚ１０２）の中の誘導性インピーダンスコンポネント（Ｉ２００）を取り替えることによって、コンデンサー（Ｃ２００）と並列に接続し、並列接続後の固有並列共振周波数は電源からの二方向性電気エネルギーが、例えば、交流電気エネルギー周波数或いは直流電気エネルギーによって転換される固定或いは可変電圧及び固定或いは可変交換極性周期の電気エネルギーの交換極性周期と同じで、かつ並列共振状態を形成することによって、第二インピーダンス（Ｚ１０２）を構成し、第一インピーダンス（Ｚ１０１）を構成するコンデンサー（Ｃ１００）と直列に接続し、コンデンサー（Ｃ２００）は単巻変圧器（ＳＴ２００）のタップのａ、ｃ間或いはｂ、ｃ間或いはほかのニーズによってタップ間での並列接続の選択が可能で、単巻変圧器（ＳＴ２００）の単巻変圧巻線（Ｗ０）のａ出力端、ｃ出力端より昇圧交流の電気エネルギーを出力することにより、二方向性導電発光ダイオードセット（Ｌ１００）を駆動することを特徴とする請求項１記載の並列共振ＬＥＤ二方向性駆動回路。
【請求項２４】
第二インピーダンス（Ｚ１０２）の誘導性インピーダンスコンポネント（Ｉ２００）の選択は、更に誘導効果を持つ変圧器電源巻線によって取り替えることが可能で、単巻変圧器（ＳＴ２００）の降圧機能を持つ単巻変圧巻線（Ｗ０）を示し、単巻変圧器（ＳＴ２００）の単巻変圧巻線（Ｗ０）のａ端、ｃ端を電源側とし、第二インピーダンス（Ｚ１０２）の中の誘導性インピーダンスコンポネント（Ｉ２００）を取り替えることによって、コンデンサー（Ｃ２００）と並列に接続し、並列接続後の固有並列共振周波数は電源からの二方向性電気エネルギーが、例えば、交流電気エネルギー周波数或いは直流電気エネルギーによって転換される固定或いは可変交換極性周期の電気エネルギーの交換極性周期と同じで、かつ並列共振状態を形成し、第二インピーダンス（Ｚ１０２）を構成し、第一インピーダンス（Ｚ１０１）を構成するコンデンサー（Ｃ１００）と直列に接続し、コンデンサー（Ｃ２００）は単巻変圧器（ＳＴ２００）のタップのａ、ｃ間或いはｂ、ｃ間或いはほかのニーズによってタップ間での並列接続の選択が可能で、単巻変圧器（ＳＴ２００）の単巻変圧巻線（Ｗ０）のｂ出力端、ｃ出力端より降圧交流の電気エネルギーを出力することにより、二方向性導電発光ダイオードセット（Ｌ１００）を駆動することを特徴とする請求項１記載の並列共振ＬＥＤ二方向性駆動回路。
【請求項２５】
第二インピーダンス（Ｚ１０２）の誘導性インピーダンスコンポネント（Ｉ２００）の選択は、更に誘導効果を持つ変圧器電源巻線によって取り替えることが可能で、分離式変圧器（ＩＴ２００）は一次巻線（Ｗ１）及び二次巻線（Ｗ２）によって構成され、一次巻線（Ｗ１）と二次巻線（Ｗ２）の二者が分離され、一次巻線（Ｗ１）はコンデンサー（Ｃ２００）と並列に接続し、並列接続後の固有並列共振周波数は電源からの二方向性電気エネルギーが、例えば、交流電気エネルギー周波数或いは直流電気エネルギーによって転換される固定或いは可変交換極性周期の電気エネルギーの交換極性周期と同じで、かつ並列共振状態を形成することによって、第二インピーダンス（Ｚ１０２）を構成してから、第一インピーダンス（Ｚ１０１）を構成するコンデンサー（Ｃ１００）と直列に接続し、コンデンサー（Ｃ２００）は単巻変圧器（ＳＴ２００）のタップのａ、ｃ間或いはｂ、ｃ間或いはほかのニーズによってタップ間での並列接続の選択が可能であり、分離式変圧器（ＩＴ２００）の二次巻線（Ｗ２）の出力電圧はニーズによって昇圧或いは降圧に選択することが可能で、二次巻線の出力の交流の電気エネルギーは二方向性導電発光ダイオードセット（Ｌ１００）へ出力し、
上記を通して、変圧器の電源巻線によって第二インピーダンス（Ｚ１０２）の中の誘導性インピーダンスコンポネント（Ｉ２００）を取り替え、コンデンサー（Ｃ２００）と並列に接続し、並列共振を形成することによって、第二インピーダンス（Ｚ１０２）を構成し、分離式変圧器（ＩＴ２００）の二次側昇圧出力の交流電圧或いは降圧出力の交流の電気エネルギーによって二方向性導電発光ダイオードセット（Ｌ１００）を駆動することを特徴とする請求項１記載の並列共振ＬＥＤ二方向性駆動回路。
【発明の詳細な説明】
【技術分野】
【０００１】
本発明は、二方向性電気エネルギーによる並列共振ＬＥＤ二方向性駆動回路に関する。
【背景技術】
【０００２】
伝統の交流の電気エネルギー或いは直流の電気エネルギーをＬＥＤ駆動回路の電源とするとき、ＬＥＤ電流を制限するために、通常は、限流抵抗を直列接続してインピーダンスとする。直列抵抗性インピーダンスの電圧が下がると、電気エネルギーがロスし、及び熱が溜まる欠点がある。
【発明の概要】
【発明が解決しようとする課題】
【０００３】
本発明の並列共振ＬＥＤ二方向性駆動回路を高周波の二方向性電気エネルギーの電源に応用すると、小型化、軽量化及びコスト削減が可能である。
【課題を解決するための手段】
【０００４】
本発明は、キャパシティブインピーダンスコンポネント、誘導性インピーダンスコンポネント或いは抵抗性インピーダンスコンポネントによって、第一インピーダンスを構成する。及びキャパシティブインピーダンスコンポネント及び誘導性インピーダンスコンポネントを並列接続することによって、第二インピーダンスを構成する。第二インピーダンスの固有並列共振（ｐａｒａｌｌｅｌ  ｒｅｓｏｎａｎｃｅ）周波数は、二方向性電気エネルギーの交流電気エネルギーの周波数或いは直流電気エネルギーによって固定或いは可変電圧に転換され、及び固定或いは可変交換極性周期の電気エネルギーの交換極性の周期と同じで、かつ並列共振（ｐａｒａｌｌｅｌ  ｒｅｓｏｎａｎｃｅ）状態を形成する。
【０００５】
第一インピーダンスと第二インピーダンスを直列接続し、第一インピーダンスと第二インピーダンスを直列接続してからの両端に二方向性電気エネルギーを入力し、第一インピーダンスに電気エネルギーの分圧を形成させ、及び第二インピーダンスの両端に並列共振（ｐａｒａｌｌｅｌ  ｒｅｓｏｎａｎｃｅ）する電気エネルギーの分圧を形成させる。かつ少なくとも一セットの二方向性導電発光ダイオードセットは、第一インピーダンスの両端或いは並列共振（ｐａｒａｌｌｅｌ  ｒｅｓｏｎａｎｃｅ）する第二インピーダンスの両端の電気エネルギーの分圧によって駆動されて発光する。
【図面の簡単な説明】
【０００６】
【図１】本発明の一実施形態による並列共振ＬＥＤ二方向性駆動回路を示す回路図である。
【図２】本発明の一実施形態による並列共振ＬＥＤ二方向性駆動回路を示す回路図である。
【図３】本発明の一実施形態による並列共振ＬＥＤ二方向性駆動回路の二方向性導電発光ダイオードセットを逆極性に並列接続する第一発光ダイオード及びダイオードによって構成される回路を示す回路図である。
【図４】本発明の一実施形態による並列共振ＬＥＤ二方向性駆動回路の限流抵抗によって二方向性導電発光ダイオードセットと直列に接続する回路を示す回路図である。
【図５】図２の回路中の二方向性導電発光ダイオードセットにツェナーダイオードを加設する回路を示す回路図である。
【図６】図３の回路中の二方向性導電発光ダイオードセットにツェナーダイオードを加設する回路を示す回路図である。
【図７】図４の回路中の二方向性導電発光ダイオードセットにツェナーダイオードを加設する回路を示す回路図である。
【図８】図５の回路中の第一発光ダイオード、第二発光ダイオード及び直列接続する限流抵抗の両端を充放電可能装置と並列接続する回路を示す回路図である。
【図９】図６の回路中の発光ダイオード及び限流抵抗の両端を直列接続して充放電可能装置と並列接続する回路を示す回路図である。
【図１０】図７の回路中の発光ダイオード及び限流抵抗の両端を直列接続して充放電可能装置と並列接続する回路を示す回路図である。
【図１１】本発明の一実施形態による並列共振ＬＥＤ二方向性駆動回路の二方向性導電発光ダイオードセットの第一発光ダイオードと第二発光ダイオードを並列接続して構成する回路を示す回路図である。
【図１２】本発明の一実施形態による並列共振ＬＥＤ二方向性駆動回路の直列式二方向性電気エネルギーパワーコントローラーと直列に接続する回路を示す回路図である。
【図１３】本発明の一実施形態による並列共振ＬＥＤ二方向性駆動回路の並列式二方向性電気エネルギーパワーコントローラーと並列に接続する回路を示す回路図である。
【図１４】本発明の一実施形態による並列共振ＬＥＤ二方向性駆動回路のＤＣ−ＡＣインバータより出力する電気エネルギーを受けて駆動する回路を示す回路図である。
【図１５】本発明の一実施形態による並列共振ＬＥＤ二方向性駆動回路のインピーダンスコンポネントと直列に接続する回路を示す回路図である。
【図１６】本発明の一実施形態による並列共振ＬＥＤ二方向性駆動回路のインピーダンスコンポネントをスイッチ装置に通して接続する制御回路を示す回路図である。
【図１７】本発明の一実施形態による並列共振ＬＥＤ二方向性駆動回路の単巻変圧器の単巻変圧の電源巻線によって第二インピーダンスの誘導性インピーダンスコンポネントを取り替える昇圧回路を示す回路図である。
【図１８】本発明の一実施形態による並列共振ＬＥＤ二方向性駆動回路の単巻変圧器の単巻変圧の電源巻線によって第二インピーダンスの誘導性インピーダンスコンポネントを取り替える降圧回路を示す回路図である。
【図１９】本発明の一実施形態による並列共振ＬＥＤ二方向性駆動回路の分離式変圧巻線の分離式変圧器の一次巻線によって第二インピーダンスの誘導性インピーダンスコンポネントを取り替える回路を示す回路図である。
【発明を実施するための形態】
【０００７】
本発明の一実施形態による並列共振ＬＥＤ二方向性駆動回路のＬＥＤ二方向性駆動回路Ｕ１００の回路機能及び作動は、キャパシティブインピーダンスコンポネント、誘導性インピーダンスコンポネント或いは抵抗性インピーダンスコンポネントによって、第一インピーダンスを構成する。
及びキャパシティブインピーダンスコンポネントと誘導性インピーダンスコンポネントを並列接続することによって、第二インピーダンスを構成する。第二インピーダンスの固有並列共振（ｐａｒａｌｌｅｌ  ｒｅｓｏｎａｎｃｅ）周波数は、二方向性電気エネルギーの周波数或いは周期と同じであり、かつ並列共振（ｐａｒａｌｌｅｌ  ｒｅｓｏｎａｎｃｅ）周波数の状態を形成する。
【０００８】
第一インピーダンスと第二インピーダンスが互いに直列接続後の両端に、二方向性電気エネルギーを入力する。それは下記を含む。
（１）固定或いは可変電圧及び固定或いは可変周波数の交流電気エネルギーを入力する。
（２）或いは、直流電源を固定或いは可変電圧、及び固定或いは可変周波数或いは周期の二方向性正弦波電圧、二方向性方波電圧或いは二方向性脈動波形の電圧に転換する交流電気エネルギーを入力する。
【０００９】
（３）或いは、交流電気エネルギーを直流電気エネルギーに整流してから、固定或いは可変電圧へ再転換し、及び固定或いは可変周波数或いは周期の二方向性正弦波電圧、二方向性方波電圧或いは二方向性脈動波形の電圧の交流電気エネルギーを入力する。
及び二方向性導電発光ダイオードセットＬ１００を設け、二方向性導電発光ダイオードセットＬ１００は第一発光ダイオードＬＥＤ１０１と第二発光ダイオードＬＥＤ１０２を逆極性に並列接続することによって構成する。第一発光ダイオードＬＥＤ１０１と第二発光ダイオードＬＥＤ１０２の数量は、同じ或いは異なることが可能である。第一発光ダイオードＬＥＤ１０１と第二発光ダイオードＬＥＤ１０２は、一個の個別順方向電流極性発光ダイオードによって構成する。或いは、二個や二個以上の順方向電流極性発光ダイオードを直列接続或いは並列接続することによって構成する。或いは、三個や三個以上の順方向電流極性発光ダイオードを直列接続、並列接続、直並列接続することによって構成する。
【００１０】
二方向性導電発光ダイオードセットＬ１００は、ニーズによって一セット或いは一セット以上を選択設置し、第一インピーダンスＺ１０１或いは第二インピーダンスＺ１０２の二者或いはその中の一つの両端と並列接続する。入力する電気エネルギーを通して、第一インピーダンスＺ１０１の両端及び第二インピーダンスＺ１０２の両端に電気エネルギーの分圧を形成することによって、第一インピーダンスＺ１０１或いは第二インピーダンスＺ１０２の両端に並列接続する二方向性導電発光ダイオードセットＬ１００を駆動して発光する。かつ本実施形態の並列共振ＬＥＤ二方向性駆動回路を構成する。
【００１１】
図１に本実施形態の並列共振ＬＥＤ二方向性駆動回路の回路図を示す。図１で示すＬＥＤ二方向性駆動回路Ｕ１００を通して回路機能が作動する。この主な構成は下記を含む。
第一インピーダンスＺ１０１は下記を含む。
（１）第一インピーダンスＺ１０１は、コンデンサーＣ１００や誘導性インピーダンスコンポネントや抵抗性インピーダンスコンポネントによって構成される。或いは、その中の一種や一種以上、及び一個や一個以上のインピーダンスコンポネントによって構成され、或いは、二種や二種以上のインピーダンスコンポネントによって構成される。かつ各種のインピーダンスコンポネントは別々に各一個或いは一個以上を直列接続、並列接続、直並列接続して構成されることによって、直流性質のインピーダンス或いは交流性質のインピーダンスを提供する。
【００１２】
（２）或いは、第一インピーダンスＺ１０１は、キャパシティブインピーダンスコンポネントと誘導性インピーダンスコンポネントを互いに直列接続し、二者を直列接続してからの固有直列共振（ｓｅｒｉｅｓ  ｒｅｓｏｎａｎｃｅ）周波数は二方向性電源の交流電気エネルギーの周波数或いは直流電気エネルギーによって転換される固定や可変交換極性周期の電気エネルギーの交換極性周期と同じで、かつ直列共振（ｓｅｒｉｅｓ  ｒｅｓｏｎａｎｃｅ）状態を形成する。
【００１３】
（３）或いは、第一インピーダンスＺ１０１は、キャパシティブインピーダンスと誘導性インピーダンスコンポネントを互いに並列接続する。二者を並列接続してからの固有並列共振（ｐａｒａｌｌｅｌ  ｒｅｓｏｎａｎｃｅ）周波数は、二方向性電源の交流電源の周波数或いは直流電源によって転換される固定或いは可変交換極性周期の電気エネルギーの交換極性周期と同じで、かつ並列共振（ｐａｒａｌｌｅｌ  ｒｅｓｏｎａｎｃｅ）周波数の低エネルギー消耗性に交互に切り替える極性のエネルギー貯蔵状態及び第二インピーダンスと相対分圧の端子電圧状態を形成する。
【００１４】
第二インピーダンスＺ１０２は下記を含む。
誘導性インピーダンスコンポネントＩ２００とコンデンサーＣ２００を並列接続することによって構成する。かつ電源からの二方向性電気エネルギーは、例えば、交流電気エネルギー周波数或いは直流電気エネルギーによって転換される固定や可変電圧及び固定や可変交換極性周期の電気エネルギーの交換極性周期と同じで、かつ相対並列共振（ｐａｒａｌｌｅｌ  ｒｅｓｏｎａｎｃｅ）状態を形成し、第一インピーダンスと相対分圧の端子電圧状態を形成する。
【００１５】
本実施形態の並列共振ＬＥＤ二方向性駆動回路は、ニーズによってキャパシティブインピーダンスコンポネント、誘導性インピーダンスコンポネント、抵抗性インピーダンスコンポネントを選択することが可能で、三者の中から少なくとも一種のインピーダンスコンポネントによって、第一インピーダンスＺ１０１を構成する。
本実施形態の並列共振ＬＥＤ二方向性駆動回路の第一インピーダンスＺ１０１の不使用を選択することが可能で、かつ直接電源からの二方向性電気エネルギーと並列共振（ｐａｒａｌｌｅｌ  ｒｅｓｏｎａｎｃｅ）する第二インピーダンスＺ１０２を二方向性電気エネルギーに並列接続する電源である。
【００１６】
第一インピーダンスＺ１０１と第二インピーダンスＺ１０２を互いに直列接続する。第一インピーダンスＺ１０１と第二インピーダンスＺ１０２を互いに直列接続してからの両端に下記の二方向性電気エネルギーを入力することを含む。
（１）固定或いは可変電圧及び固定或いは可変周波数の交流電気エネルギーを入力する。
【００１７】
（２）或いは、直流電源を固定或いは可変電圧、及び固定或いは可変周波数或いは周期の二方向性正弦波電圧、二方向性方波電圧或いは二方向性脈動波形の電圧に転換する交流電気エネルギーを入力する。
（３）或いは、交流電気エネルギーを直流電気エネルギーに整流してから、固定或いは可変電圧へ再転換し、及び固定或いは可変周波数或いは周期の二方向性正弦波電圧、二方向性方波電圧或いは二方向性脈動波形の電圧の交流電気エネルギーを入力する。
【００１８】
二方向性導電発光ダイオードセットＬ１００は、第一発光ダイオードＬＥＤ１０１と第二発光ダイオードＬＥＤ１０２が逆極性に並列接続することによって構成される。第一発光ダイオードＬＥＤ１０１と第二発光ダイオードＬＥＤ１０２の数量は、同じ或いは異なることが可能である。第一発光ダイオードＬＥＤ１０１と第二発光ダイオードＬＥＤ１０２は、一個の個別順方向電流極性発光ダイオードによって構成される。或いは、二個或いは二個以上の順方向電流極性発光ダイオードが直列或いは並列接続して構成される。或いは、三個や三個以上の順方向電流極性発光ダイオードを直列接続、並列接続、直並列接続して構成される。
【００１９】
二方向性導電発光ダイオードセットＬ１００は、ニーズによって一セット或いは一セット以上を選択設置することによって、第一インピーダンスＺ１０１或いは第二インピーダンスＺ１０２の二者或いはその中の一つの両端に並列接続する。入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端に並列接続する二方向性導電発光ダイオードセットＬ１００を駆動して発光する。
【００２０】
本実施形態の並列共振ＬＥＤ二方向性駆動回路のＬＥＤ二方向性駆動回路Ｕ１００の中にある第一インピーダンスＺ１０１と第二インピーダンスＺ１０２及び二方向性導電発光ダイオードセットＬ１００は、ニーズによって別々に一個或いは一個以上の選択が可能である。
本実施形態の並列共振ＬＥＤ二方向性駆動回路は、ニーズによってキャパシティブインピーダンスコンポネント、誘導性インピーダンスコンポネント、抵抗性インピーダンスコンポネントを選択し、三者の中から少なくともの一種のインピーダンスコンポネントによって第一インピーダンスＺ１０１を構成する。第一インピーダンスＺ１０１の不使用を選択することが可能で、第二インピーダンスＺ１０２から直接に二方向性電気エネルギーの電源に並列接続する。下記通りに説明する。
【００２１】
下記の各代表実施形態の中で、回路のコンポネントの選択を下記に挙げて説明する。
（１）実施形態として、一個の第一インピーダンスＺ１０１と一個の第二インピーダンスＺ１０２と一個の二方向性導電発光ダイオードセットＬ１００を設置し、ただし実際に応用するとき、関連装置の選択数量を制限しない。
（２）コンデンサーのキャパシティブインピーダンスをインピーダンスコンポネントの代表として第一インピーダンスＺ１０１を構成し、及び第二インピーダンスＺ１０２を実施形態とする。実際に応用するとき、ニーズによってキャパシティブインピーダンスコンポネント、誘導性インピーダンスコンポネント、抵抗性インピーダンスコンポネントの選択使用が可能で、説明は下記通りである。
【００２２】
図２は、本実施形態の回路の回路図である。その構成は下記を含む。
第一インピーダンスＺ１０１は、コンデンサーＣ１００によって構成され、特に二極性キャパシティブによって構成される。その中の第一インピーダンスの数量は、一個或いは一個以上である。或いは、ニーズによって第一インピーダンスＺ１０１の不使用を選択する。
【００２３】
第二インピーダンスＺ１０２は、誘導性インピーダンスコンポネントＩ２００及びコンデンサーＣ２００を並列接続することによって構成する。特に誘導性インピーダンスコンポネントと二極性キャパシティブによって構成することを指す。その周波数は、二方向性電気エネルギーの交流電気エネルギー周波数或いは直流電気エネルギーによって転換される固定或いは可変電圧及び固定或いは可変交換極性周期の電気エネルギーの交換極性周期と同じで、かつ並列共振（ｐａｒａｌｌｅｌ  ｒｅｓｏｎａｎｃｅ）状態を形成する。第二インピーダンスの数量は、一個或いは一個以上である、
【００２４】
第一インピーダンスＺ１０１と第二インピーダンスＺ１０２を直列接続し、直列接続してからの両端へ二方向性電気エネルギーを入力する。また第二インピーダンスＺ１０２に並列共振（ｐａｒａｌｌｅｌ  ｒｅｓｏｎａｎｃｅ）を示す電気エネルギーの分圧を形成し、分圧の電気エネルギーによって二方向性導電発光ダイオードセットＬ１００を駆動する。
【００２５】
二方向性導電発光ダイオードセットＬ１００は、第一発光ダイオードＬＥＤ１０１と第二発光ダイオードＬＥＤ１０２が逆極性に並列接続することによって構成される。第一発光ダイオードＬＥＤ１０１と第二発光ダイオードＬＥＤ１０２の数量は、同じ或いは異なることが可能である。第一発光ダイオードＬＥＤ１０１と第二発光ダイオードＬＥＤ１０２は、一個の個別順方向電流極性発光ダイオードによって構成される。或いは、二個或いは二個以上の順方向電流極性発光ダイオードが直列或いは並列接続して構成される。或いは、三個や三個以上の順方向電流極性発光ダイオードを直列接続、並列接続、直並列接続して構成される。二方向性導電発光ダイオードセットＬ１００は、ニーズによって一セット或いは一セット以上を選択設置して、第一インピーダンスＺ１０１或いは第二インピーダンスＺ１０２の二者或いはその中の一つの両端に並列接続する。入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端に並列接続する二方向性導電発光ダイオードセットＬ１００を駆動して発光する。
【００２６】
或いは、二方向性導電発光ダイオードセットＬ１００は第二インピーダンスＺ１０２の両端に並列接続し、二方向性電気エネルギーの周期が並列共振（ｐａｒａｌｌｅｌ  ｒｅｓｏｎａｎｃｅ）を示す第二インピーダンスＺ１０２の両端の分電圧の電気エネルギーによって駆動される。また第一インピーダンスＺ１０１のインピーダンスを通して電流を制限する。特にコンデンサーＣ１００（例えば、二極性コンデンサー）を第一インピーダンスコンポネントとして選択使用するとき、キャパシティブインピーダンスを通して出力電流を制限する。
【００２７】
第一インピーダンスＺ１０１、第二インピーダンスＺ１０２、二方向性導電発光ダイオードセットＬ１００を通して、上記の回路構造に従って接続し、ＬＥＤ二方向性駆動回路Ｕ１００を構成する。
また上記の二方向性導電発光ダイオードセットＬ１００を通して、第二インピーダンスＺ１０２と並列接続することにより、電流分流効果を形成することによって、電源電圧が変動するとき、二方向性導電発光ダイオードセットＬ１００の両端に相対する電源の電圧変動率を減少させることが可能である。
【００２８】
上記のＬＥＤ二方向性駆動回路Ｕ１００の中で二方向性導電発光ダイオードセットＬ１００を構成する第一発光ダイオードＬＥＤ１０１及び第二発光ダイオードＬＥＤ１０２の選択は下記を含む。
（１）第一発光ダイオードＬＥＤ１０１は、一個或いは一個以上の発光ダイオードで、順極性に直列接続、同極性に並列接続、直並列接続して構成されることが可能である。
【００２９】
（２）第二発光ダイオードＬＥＤ１０２は、一個或いは一個以上の発光ダイオードで、順極性に直列接続、同極性に並列接続、直並列接続して構成されることが可能である。
（３）第一発光ダイオードＬＥＤ１０１と第二発光ダイオードＬＥＤ１０２を構成する発光ダイオードの数量は、同じ或いは異なることが可能である。
（４）第一発光ダイオードＬＥＤ１０１と第二発光ダイオードＬＥＤ１０２を構成する個別発光ダイオードが一個以上であるとき、所属する個別発光ダイオード間の接続関係は、同じ或いは異なる直列、並列、直並列接続することが可能である。
【００３０】
（５）第一発光ダイオードＬＥＤ１０１或いは第二発光ダイオードＬＥＤ１０２の中の一つがダイオードＣＲ１００によって取り替えられ、またダイオードＣＲ１００の電流の流れる方向と並列接続と保留される第一発光ダイオードＬＥＤ１０１或いは第二発光ダイオードＬＥＤ１０２の作動電流の流れる方向とは逆極性に並列接続することが可能である。
図３に本実施形態の二方向性導電発光ダイオードセットＬ１００を逆極性に並列接続する第一発光ダイオードＬＥＤ１０１及びダイオードＣＲ１００によって構成される回路の回路図を示す。
【００３１】
本実施形態の並列共振ＬＥＤ二方向性駆動回路は、ＬＥＤ二方向性駆動回路Ｕ１００の回路の作動を通して、実際に応用するときは、図１、図２及び図３に示すように、ニーズによって下記の補助性回路コンポネントを選択し、ニーズによって設置するかしないかの選択が可能である。その設置数量は、一個或いは一個以上によって構成する選択を含む。もし一個以上を選択する場合、回路機能のニーズに従って相対極性関係を直列、並列、直並列接続にすることを選定し、選択補助性回路コンポネントは下記を含む。
【００３２】
ダイオードＣＲ１０１は、オプションコンポネントであり、第一発光ダイオードＬＥＤ１０１に直列接続することによって、逆電圧過高を防ぐ。
ダイオードＣＲ１０２は、オプションコンポネントであり、第二発光ダイオードＬＥＤ１０２に直列接続することによって、逆電圧過高を防ぐ。
放電抵抗Ｒ１０１は、オプションコンポネントであり、コンデンサーＣ１００（例えば、二極性コンデンサー）を第一インピーダンスＺ１０１として選択使用するとき、第一インピーダンスＺ１０１を構成するコンデンサーＣ１００の両端に並列接続することによって、コンデンサーＣ１００の残留電荷を放電する。
【００３３】
限流抵抗Ｒ１０３は、オプションコンポネントであり、個別二方向性導電発光ダイオードセットＬ１００を構成する第一発光ダイオードＬＥＤ１０１を直列に接続することによって、第一発光ダイオードＬＥＤ１０１の通過電流を制限する。限流抵抗Ｒ１０３は、誘導性インピーダンスコンポネントＩ１０３によって取り替えられることが可能である。
限流抵抗Ｒ１０４は、オプションコンポネントであり、個別二方向性導電発光ダイオードセットＬ１００の第二発光ダイオードＬＥＤ１０２を直列に接続することによって、第二発光ダイオードＬＥＤ１０２の通過電流を制限する。限流抵抗Ｒ１０４は、誘導性インピーダンスコンポネントＩ１０４によって取り替えられることが可能である。
【００３４】
ＬＥＤ二方向性駆動回路Ｕ１００の二方向性導電発光ダイオードセットＬ１００を構成する第一発光ダイオードＬＥＤ１０１及び第二発光ダイオードＬＥＤ１０２の中に同時に限流抵抗Ｒ１０３及び限流抵抗Ｒ１０４を設置する場合、限流機能を得るために、限流抵抗Ｒ１００を直接に二方向性導電発光ダイオードセットＬ１００と直列接続することによって、取り替え、或いは、同時に設置することが可能である。限流抵抗Ｒ１００は、誘導性インピーダンスコンポネントＩ１００によって取り替えることが可能である。上記回路構造及び補助回路コンポネントの選択に従って、ＬＥＤ二方向性駆動回路Ｕ１００を構成する。図４に本実施形態の中で限流抵抗Ｒ１００によって二方向性導電発光ダイオードセットＬ１００と直列に接続する回路の回路図を示す。
【００３５】
また発光ダイオードを保護し、発光ダイオードの異常電圧による損傷や寿命短縮を防ぐために、上記のＬＥＤ二方向性駆動回路Ｕ１００の中に、図５及び図６の回路の中で示すように、更に二方向性導電発光ダイオードセットＬ１００を構成する第一発光ダイオードＬＥＤ１０１及び第二発光ダイオードＬＥＤ１０２の両端に別々にツェナーダイオードを並列接続する。或いは、ツェナーダイオードをまずダイオードと直列に接続し、ツェナー電圧効果を生じさせてから、別々に第一発光ダイオードＬＥＤ１０１或いは第二発光ダイオードＬＥＤ１０２の両端に並列接続する。
【００３６】
図５に図２の回路中の二方向性導電発光ダイオードセットにツェナーダイオードを加設する回路の回路図を示す。
図６に図３の回路中の二方向性導電発光ダイオードセットにツェナーダイオードを加設する回路の回路図を示す。
図７に図４の回路中の二方向性導電発光ダイオードセットにツェナーダイオードを加設する回路の回路図を示す。
【００３７】
図５、図６及び図７に示す構成は下記を含む。
（１）二方向性導電発光ダイオードセットＬ１００を構成する第一発光ダイオードＬＥＤ１０１の両端をツェナーダイオードＺＤ１０１と並列接続し、その極性関係はツェナーダイオードＺＤ１０１のツェナー電圧によって第一発光ダイオードＬＥＤ１０１の両端の作動電圧を制限する。
【００３８】
上記のツェナーダイオードＺＤ１０１は、ニーズによってダイオードＣＲ２０１を選択設置し、ツェナーダイオードＺＤ１０１との直列接続が可能である。その利点は、（１）ツェナーダイオードＺＤ１０１を保護し、逆方向電流を防ぐことが可能である。（２）ダイオードＣＲ２０１とツェナーダイオードＺＤ１０１の二者は、温度補償効果を持っている。
【００３９】
（２）もし二方向性導電発光ダイオードセットＬ１００に第二発光ダイオードＬＥＤ１０２を選択使用するとき、ニーズによって第二発光ダイオードＬＥＤ１０２の両端を選択し、ツェナーダイオードＺＤ１０２と並列に接続することが可能である。その極性関係は、ツェナーダイオードＺＤ１０２のツェナー電圧によって第二発光ダイオードＬＥＤ１０２の両端の作動電圧を制限する。
【００４０】
ツェナーダイオードＺＤ１０２は、ニーズによってダイオードＣＲ２０２を選択設置し、ツェナーダイオードＺＤ１０２と直列に接続することが可能である。その利点は、（１）ツェナーダイオードＺＤ１０２を保護し、逆方向電流を防ぐことが可能である。（２）ダイオードＣＲ２０２とツェナーダイオードＺＤ１０２の二者は、温度補償効果を持っている。
本実施形態の並列共振ＬＥＤ二方向性駆動回路のＬＥＤ二方向性駆動回路Ｕ１００の中にある二方向性導電発光ダイオードセットＬ１００は、第一発光ダイオードＬＥＤ１０１及び逆方向に並列接続する第二発光ダイオードＬＥＤ１０２によって組み立てたとき、その構成は下記を含む。
【００４１】
ニーズによって第一発光ダイオードＬＥＤ１０１の両端にツェナーダイオードＺＤ１０１を並列接続し、及び第二発光ダイオードＬＥＤ１０２の両端にツェナーダイオードＺＤ１０２を並列接続する。その極性関係は、ツェナーダイオードＺＤ１０１のツェナー電圧によって第一発光ダイオードＬＥＤ１０１の両端の作動電圧を制限し、及びツェナーダイオードＺＤ１０２のツェナー電圧によって第二発光ダイオードＬＥＤ１０２の両端の作動電圧を制限する。
【００４２】
上記のツェナーダイオードの構成は下記を含む。
（１）二方向性導電発光ダイオードセットＬ１００を構成する第一発光ダイオードＬＥＤ１０１の両端にツェナーダイオードＺＤ１０１を並列接続すると同時に、第二発光ダイオードＬＥＤ１０２の両端にツェナーダイオードＺＤ１０２を並列接続する。
（２）或いは、二個のツェナーダイオードＺＤ１０１及びツェナーダイオードＺＤ１０２を逆方向に直列接続してから、更に二方向性導電発光ダイオードセットＬ１００の両端に並列接続する。
【００４３】
（３）或いは、二方向性ツェナー効果を持つダイオードと並列接続する二方向性導電発光ダイオードセットＬ１００の回路に取り替える。
上記の三種類の回路は、全て第一発光ダイオードＬＥＤ１０１及び第二発光ダイオードＬＥＤ１０２の端電圧過高を防ぐことが可能である。
或いは、本実施形態の並列共振ＬＥＤ二方向性駆動回路のＬＥＤ二方向性駆動回路Ｕ１００の中にある二方向性導電発光ダイオードセットＬ１００は、第一発光ダイオードＬＥＤ１０１及び逆方向に並列接続する第二発光ダイオードＬＥＤ１０２によって組み立てたとき、その構成は下記を含む。
【００４４】
上記ツェナーダイオードＺＤ１０１及びツェナーダイオードＺＤ１０２は、ニーズによってダイオードＣＲ２０１とツェナーダイオードＺＤ１０１を順極性に直列接続し、及びダイオードＣＲ２０２とツェナーダイオードＺＤ１０２を順極性に直列接続する。その利点は、（１）ツェナーダイオードＺＤ１０１及びツェナーダイオードＺＤ１０２を保護し、逆方向性電流を防ぐことが可能である。（２）ダイオードＣＲ２０１と第一発光ダイオードＺＤ１０１、及びダイオードＣＲ２０２とツェナーダイオードＺＤ１０２の二者は、温度補償効果を持っている。
【００４５】
本実施形態の並列共振ＬＥＤ二方向性駆動回路のＬＥＤ二方向性駆動回路Ｕ１００は、図８、図９及び図１０の回路に示すように、発光ダイオードによって形成する光源の発光安定性を高めるために、更に第一発光ダイオードＬＥＤ１０１に充放電可能装置ＥＳＤ１０１を設置し、或いは、第二発光ダイオードＬＥＤ１０２に充放電可能装置ＥＳＤ１０２を設置することが可能である。充放電可能装置ＥＳＤ１０１及び充放電可能装置ＥＳＤ１０２は、アットランダムに充電或いは電気エネルギーを放出する特性があって、第一発光ダイオードＬＥＤ１０１或いは第二発光ダイオードＬＥＤ１０２の発光を安定させ、また発光照度の脈動を下げることが可能である。上記の充放電可能装置ＥＳＤ１０１と充放電可能装置ＥＳＤ１０２は、各種のよく使われる充放電可能な電池、コンデンサー、超コンデンサーによって構成される。
【００４６】
本実施形態の並列共振ＬＥＤ二方向性駆動回路は、ニーズによって充放電可能装置を選択設置することが可能で、その応用回路は下記を含む。
（１）本実施形態の並列共振ＬＥＤ二方向性駆動回路のＬＥＤ二方向性駆動回路Ｕ１００は、限流抵抗Ｒ１０３を第一発光ダイオードＬＥＤ１０１と直列接続後の両端に充放電可能装置ＥＳＤ１０１を並列に接続することが可能である。
或いは、更に限流抵抗Ｒ１０４を第二発光ダイオードＬＥＤ１０２と直列に接続してからの両端に充放電可能装置ＥＳＤ１０２を並列に接続することが可能である。
【００４７】
図８に図５の回路中の第一発光ダイオード、第二発光ダイオード及び直列接続する限流抵抗の両端を充放電可能装置と並列接続する回路の回路図を示す。その構成は下記を含む。
第一発光ダイオードＬＥＤ１０１と限流抵抗Ｒ１０３を直列に接続してからの両端或いは直接第一発光ダイオードＬＥＤ１０１の両端に極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、及び発光照度の脈動を下げることが可能である。
【００４８】
第二発光ダイオードＬＥＤ１０２を選択したとき、第二発光ダイオードＬＥＤ１０２を限流抵抗Ｒ１０４と直列に接続してからの両端に極性に従って充放電可能装置ＥＳＤ１０２を並列接続する。充放電可能装置ＥＳＤ１０２は、アットランダムに充電或いは電気エネルギーを放出する特性があって、第二発光ダイオードＬＥＤ１０２の発光作動を安定させ、及び発光照度の脈動を下げることが可能である。
充放電可能装置ＥＳＤ１０１、充放電可能装置ＥＳＤ１０２は、各種のよく使われる充放電可能な電池、超コンデンサー、コンデンサーによって構成される。
【００４９】
（２）本実施形態の並列共振ＬＥＤ二方向性駆動回路のＬＥＤ二方向性駆動回路Ｕ１００に第一発光ダイオードＬＥＤ１０１及び逆方向並列ダイオードＣＲ１００を選択したとき、図９に主な回路構造を示す。図９は、図６の回路中の発光ダイオード及び限流抵抗の両端を直列接続してから、充放電可能装置を並列接続する回路の回路図を示す。第一発光ダイオードＬＥＤ１０１と限流抵抗Ｒ１０３を直列に接続してからの両端に極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、及び発光照度の脈動を下げることが可能である。
充放電可能装置ＥＳＤ１０１、充放電可能装置ＥＳＤ１０２は、各種のよく使われる充放電可能な電池、超コンデンサー、コンデンサーによって構成される。
【００５０】
（３）本実施形態の並列共振ＬＥＤ二方向性駆動回路のＬＥＤ二方向性駆動回路Ｕ１００に限流抵抗Ｒ１００を選択し、限流抵抗Ｒ１０３、限流抵抗Ｒ１０４を取り替えることによって、二方向性導電発光ダイオードセットＬ１００の共用限流抵抗とするとき、或いは、限流抵抗Ｒ１０３、限流抵抗Ｒ１０４及び限流抵抗Ｒ１００を設置しないとき、その主な回路構造は図１０に示す通りである。図１０は、図７の回路中の発光ダイオード及び限流抵抗の両端を直列接続してから、充放電可能装置を並列接続する回路の回路図を示す。その構成は下記を含む。
【００５１】
充放電可能装置ＥＳＤ１０１を直接に同極性の第一発光ダイオードＬＥＤ１０１の両端に並列接続し、充放電可能装置ＥＳＤ１０２を同極性第二発光ダイオードＬＥＤ１０２の両端に並列接続する。充放電可能装置ＥＳＤ１０１及び充放電可能装置ＥＳＤ１０２は、アットランダムに充電或いは電気エネルギーを放出する特性がある。
充放電可能装置ＥＳＤ１０１、充放電可能装置ＥＳＤ１０２は、各種のよく使われる充放電可能な電池、超コンデンサー、コンデンサーによって構成される。
【００５２】
（４）上記（１）、（２）、（３）項の中で、もし使用する充放電可能装置ＥＳＤ１０１或いは充放電可能装置ＥＳＤ１０２が単極性である場合、第一発光ダイオードＬＥＤ１０１と単極性充放電可能装置ＥＳＤ１０１を並列に接続してから、ニーズによって順極性に直列接続するダイオードＣＲ１０１をオプションにすることによって、逆方向電圧による単極性充放電可能装置の破損を防ぐ。第二発光ダイオードＬＥＤ１０２と単極性充放電可能装置ＥＳＤ１０２を並列に接続してから、ニーズによって逆方向電圧による単極性充放電可能装置の破損を防ぐために、順極性に直列接続するダイオードＣＲ１０２を選択設置する。
【００５３】
（５）二方向性導電発光ダイオードセットＬ１００の両端にニーズによって並列式二極性の充放電可能装置を選択設置する。
またＬＥＤ二方向性駆動回路Ｕ１００の二方向性導電発光ダイオードセットＬ１００の両端に充放電可能装置を加設する。アットランダムに充電或いは電気エネルギーを放出することによって、二方向性導電発光ダイオードセットＬ１００の中の第一発光ダイオードＬＥＤ１０１と第二発光ダイオードＬＥＤ１０２の発光を安定させる以外に、断電時、充放電可能装置より貯蔵した電気エネルギーを出力することにより、第一発光ダイオードＬＥＤ１０１或いは第二発光ダイオードＬＥＤ１０２の少なくともその中の一つを駆動し、持続発光させる。
【００５４】
上記の充放電可能装置ＥＳＤ１０１、充放電可能装置ＥＳＤ１０２は、各種のよく使われる充放電可能な電池、超コンデンサー、コンデンサーによって構成される。
上記の二方向性導電発光ダイオードセットＬ１００のダイオード二方向性導電発光機能の構成方式は下記を含む。
（１）第一発光ダイオードＬＥＤ１０１と第二発光ダイオードＬＥＤ１０２を逆極性に並列接続して構成する。
【００５５】
（２）第一発光ダイオードＬＥＤ１０１とダイオードＣＲ１０１が順極性に直列接続し、及び第二発光ダイオードＬＥＤ１０２とダイオードＣＲ１０２を順極性に直列接続してから、更に二者を逆極性に並列接続して構成する。
（３）第一発光ダイオードＬＥＤ１０１とダイオードＣＲ１０１が逆極性に並列接続し、及び第二発光ダイオードＬＥＤ１０２とダイオードＣＲ１０２を逆極性に並列接続し、更に二者を逆方向に直列接続することによって、二方向性導電発光ダイオードセットを構成する。図１１で本実施形態の二方向性導電発光ダイオードセットは、第一発光ダイオードと第二発光ダイオードを逆方向に並列接続し、更に二者を逆極性に並列接続して構成する回路の回路図を示す。
【００５６】
（４）或いは、よりよく使われる発光ダイオードを二方向性受電発光の回路と組み合わせ、或いは、コンポネントによって構成することが可能である。
図１から図１１に示す回路例の中で、第一インピーダンスＺ１０１、第二インピーダンスＺ１０２、二方向性導電発光ダイオードセットＬ１００、第一発光ダイオードＬＥＤ１０１、第二発光ダイオードＬＥＤ１０２及び上記各項の選択補助回路コンポネントは、応用ニーズによって設置するかしないかの選択が可能である。設置数量は、一個によって構成されるものを含む。一個以上を選択する場合、応用時の回路機能のニーズによって相対極性関係を選定し、直列、並列、直並列に接続する。その構成は下記を含む。
【００５７】
１．第一インピーダンスＺ１０１は、一個によって構成され、或いは、一個以上によって構成され、直列、並列、直並列に接続する。複数個を設置するとき、各第一インピーダンスは同じ類別のコンデンサーＣ１００や誘導性インピーダンスコンポネントや抵抗性インピーダンスコンポネントによって構成され、或いは、異なる類別のインピーダンスコンポネントによって構成される。インピーダンス値は、同じ或いは異なることが可能である。
【００５８】
２．第二インピーダンスＺ１０２は、コンデンサーＣ２００及び誘導性インピーダンスコンポネントＩ２００を並列に接続することによって構成され、かつ電源からの二方向電気エネルギーは、例えば、交流電気エネルギーの周波数或いは直流電気エネルギーによって転換される固定或いは可変電圧及び固定或いは可変交換極性周期の電気エネルギーの交換極性周期と同じで、かつ並列共振（ｐａｒａｌｌｅｌ  ｒｅｓｏｎａｎｃｅ）する。第二インピーダンスＺ１０２は、一個によって構成され、或いは、一個以上によって構成され、しかも直列、並列、直並列に接続する。複数個設置するとき、各第二インピーダンスは同じ類別のキャパシティブインピーダンスコンポネント或いは誘導性インピーダンスコンポネントを並列に接続することによって構成される。かつ電源からの二方向電気エネルギーは、例えば、交流電気エネルギーの周波数或いは直流電気エネルギーによって転換される固定或いは可変電圧及び固定或いは可変交換極性周期の電気エネルギーの交換極性周期と同じで、かつ並列共振（ｐａｒａｌｌｅｌ  ｒｅｓｏｎａｎｃｅ）状態を形成する。インピーダンス値は同じ或いは異なっており、ただし並列共振（ｐａｒａｌｌｅｌ  ｒｅｓｏｎａｎｃｅ）周期は同じである。
【００５９】
３．第一発光ダイオードＬＥＤ１０１は、一個より構成され、或いは、一個以上より構成され、かつ順極性に直列接続、同極性に並列接続、直並列接続することが可能である。
４．第二発光ダイオードＬＥＤ１０２は、一個より構成され、或いは、一個以上より構成され、かつ順極性に直列接続、同極性に並列接続、直並列接続することが可能である。
５．ＬＥＤ二方向性駆動回路Ｕ１００は下記の通りである。
【００６０】
（１）一セットの二方向性導電発光ダイオードセットＬ１００或いは一セット以上の二方向性導電発光ダイオードセットＬ１００の選択が可能で、直列、並列、直並列接続する。一セット或いは一セット以上を選択した場合、共同して共用する第二インピーダンスＺ１０２の分圧電気エネルギーによって駆動されることが可能である。或いは、直列や並列接続する多セットの第二インピーダンスＺ１０２より個別にマッチされ、多セットの第二インピーダンスＺ１０２の分圧電気エネルギーによって個別にマッチする二方向性導電発光ダイオードセットＬ１００を駆動する。
【００６１】
（２）ＬＥＤ二方向性駆動回路Ｕ１００の中に充放電可能装置ＥＳＤ１０１或いは充放電可能装置ＥＳＤ１０２を設けた場合、二方向性導電発光ダイオードセットＬ１００の中の第一発光ダイオードＬＥＤ１０１或いは第二発光ダイオードＬＥＤ１０２を駆動し、連続直流によって通電発光する。
もし充放電可能装置ＥＳＤ１０１或いは充放電可能装置ＥＳＤ１０２を設置しない場合、第一発光ダイオードＬＥＤ１０１或いは第二発光ダイオードＬＥＤ１０２は断続導電となる。第一発光ダイオードＬＥＤ１０１或いは第二発光ダイオードＬＥＤ１０２は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、及び二方向性導電性発光ダイオードセットＬ１００の各発光ダイオードの通電発光時の順電圧ピーク値（Ｐｅａｋ  ｏｆ  Ｆｏｒｗａｒｄ  Ｖｏｌｔａｇｅ）の構成を相対選択する。その選択は下記を含む。
【００６２】
１）第一発光ダイオードＬＥＤ１０１或いは第二発光ダイオードＬＥＤ１０２の定格順電圧（Ｒａｔｅ  Ｆｏｒｗａｒｄ  Ｖｏｌｔａｇｅ）より低い値を通電発光の順電圧ピーク値（Ｐｅａｋ  ｏｆ  Ｆｏｒｗａｒｄ  Ｖｏｌｔａｇｅ）とする。
２）或いは、第一発光ダイオードＬＥＤ１０１或いは第二発光ダイオードＬＥＤ１０２の定格順電圧（Ｒａｔｅ  Ｆｏｒｗａｒｄ  Ｖｏｌｔａｇｅ）を通電発光の順電圧ピーク値（Ｐｅａｋ  ｏｆ  Ｆｏｒｗａｒｄ  Ｖｏｌｔａｇｅ）とする。
【００６３】
３）或いは、もし回路中の第一発光ダイオードＬＥＤ１０１或いは第二発光ダイオードＬＥＤ１０２が断続導電の駆動状態になった場合、導電及び断電時間の割合（Ｄｕｔｙ  Ｃｙｃｌｅ）に従って、また定格順電圧（Ｒａｔｅ  Ｆｏｒｗａｒｄ  Ｖｏｌｔａｇｅ）より高い値を通電発光の順電圧ピーク値（Ｐｅａｋ  ｏｆ  Ｆｏｒｗａｒｄ  Ｖｏｌｔａｇｅ）として相対選定する。ただし原則として通電発光の順電圧ピーク値（Ｐｅａｋ  ｏｆ  Ｆｏｒｗａｒｄ  Ｖｏｌｔａｇｅ）は第一発光ダイオードＬＥＤ１０１或いは第二発光ダイオードＬＥＤ１０２にダメージを与えてはならない。
【００６４】
上記の通電発光の順電圧（Ｆｏｒｗａｒｄ  Ｖｏｌｔａｇｅ）の高低及び波形は、通電発光の順電圧が通電発光の順電流に対するレシオ（Ｆｏｒｗａｒｄ  Ｖｏｌｔａｇｅ  ｖｓ．  Ｆｏｒｗａｒｄ  Ｃｕｒｒｅｎｔ）の電流大小及び電流波形を形成する。ただし原則として通電発光の順電流ピーク値（Ｐｅａｋ  ｏｆ  Ｆｏｒｗａｒｄ  Ｃｕｒｒｅｎｔ）は、第一発光ダイオードＬＥＤ１０１或いは第二発光ダイオードＬＥＤ１０２にダメージを与えてはならない。
上記の順電流（Ｆｏｒｗａｒｄ  Ｃｕｒｒｅｎｔ）の大小及び波形を通して、必要な電流が相対光度に対するレシオ（Ｆｏｒｗａｒｄ  Ｃｕｒｒｅｎｔ  ｖｓ．  Ｒｅｌａｔｉｖｅ  Ｌｕｍｉｎｏｓｉｔｙ）の照度を形成し、或いは、照度変化を有段や無段に調整制御する。
【００６５】
６．ダイオードＣＲ１００、ダイオードＣＲ１０１、ダイオードＣＲ１０２、ダイオードＣＲ２０１、ダイオードＣＲ２０２は、一個によって構成され、或いは、一個以上によって構成され、かつ順極性に直列接続、同極性に並列接続、直並列接続する。上記の装置は、ニーズによってオプションにすることも可能である。
７．放電抵抗Ｒ１０１、限流抵抗Ｒ１００、限流抵抗Ｒ１０３、限流抵抗Ｒ１０４は、一個によって構成され、或いは、一個以上によって構成され、かつ直列接続、並列接続、直並列接続する。上記の装置は、ニーズによってオプションにすることも可能である。
【００６６】
８．誘導性インピーダンスコンポネントＩ１００、誘導性インピーダンスコンポネントＩ１０３、誘導性インピーダンスコンポネントＩ１０４は、一個によって構成され、或いは、一個以上によって構成され、かつ直列接続、並列接続、直並列接続する。上記の装置は、ニーズによってオプションにすることも可能である。
９．ツェナーダイオードＺＤ１０１とツェナーダイオードＺＤ１０２は、一個によって構成され、或いは、一個以上によって構成され、かつ順極性に直列接続、同極性に並列接続、直並列接続する。上記の装置は、ニーズによってオプションにすることが可能である。
【００６７】
１０．充放電可能装置ＥＳＤ１０１と充放電可能装置ＥＳＤ１０２は、一個によって構成され、或いは、一個以上によって構成され、かつ順極性に直列接続、同極性に並列接続、直並列接続する。上記の装置は、ニーズによってオプションにすることが可能である。
本実施形態の並列共振ＬＥＤ二方向性駆動回路を応用するとき、下記の各種形態の交流電気エネルギーの二方向性電気エネルギーの入力が可能で、二方向性電気エネルギーは下記を含む。
【００６８】
（１）固定或いは可変電圧及び固定或いは可変周波数の交流電気エネルギーを入力する。
（２）或いは、直流電源を固定或いは可変電圧、及び固定或いは可変周波数或いは周期の二方向性正弦波電圧、二方向性方波電圧或いは二方向性脈動波形の電圧に転換する交流電気エネルギーを入力する。
（３）或いは、交流電気エネルギーを直流電気エネルギーに整流してから、固定或いは可変電圧へ再転換し、及び固定或いは可変周波数或いは周期の二方向性正弦波電圧、二方向性方波電圧或いは二方向性脈動波形の電圧の交流電気エネルギーを入力する。
【００６９】
本実施形態の並列共振ＬＥＤ二方向性駆動回路は、更にニーズによって下記の各能動制御回路装置を選択接続し、各応用回路は下記の通りである。
１．図１２は、本実施形態を直列式二方向性電気エネルギーパワーコントローラーと直列に接続する回路の回路図である。直列式二方向性電気エネルギーパワーコントローラーの構成は下記を含む。
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
【００７０】
回路の作動機能は下記の通りである。
（１）ニーズによって直列式二方向性電気エネルギーパワーコントローラー３００の選択設置が可能で、ＬＥＤ二方向性駆動回路Ｕ１００を直列接続する。二者を直列接続してから、電源からの二方向性電気エネルギーを入力する。直列式二方向性電気エネルギーパワーコントローラー３００を通して、電源からの二方向性電気エネルギーを調整制御し、またパルス幅変調（Ｐｕｌｓｅ  Ｗｉｄｔｈ  Ｍｏｄｕｌａｔｉｏｎ）を行い、或いは、導電の位相角を制御し、或いは、インピーダンスの調整制御等の方式でパワーを調整制御することによって、ＬＥＤ二方向性駆動回路Ｕ１００を駆動する。
【００７１】
（２）或いは、ニーズによって直列式二方向性電気エネルギーパワーコントローラー３００の選択設置が可能であり、第二インピーダンスＺ１０２と二方向性導電発光ダイオードセットＬ１００との間を直列接続する。直列式二方向性電気エネルギーパワーコントローラー３００を経て、第二インピーダンスＺ１０２の両端からの並列共振（ｐａｒａｌｌｅｌ  ｒｅｓｏｎａｎｃｅ）を示す分圧二方向性電気エネルギーを調整制御し、パルス幅変調（Ｐｕｌｓｅ  Ｗｉｄｔｈ  Ｍｏｄｕｌａｔｉｏｎ）を行い、或いは、導電の位相角を制御し、或いは、インピーダンスの調整制御等の方式でパワーを調整制御することによって、二方向性導電発光ダイオードセットＬ１００を駆動する。
【００７２】
２．図１３に本実施形態を並列式二方向性電気エネルギーパワーコントローラーと並列に接続する回路の回路図を示す。並列式二方向性電気エネルギーパワーコントローラーの構成は下記を含む。
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
【００７３】
回路の作動機能は下記通りである。
（１）ニーズによって並列式二方向性電気エネルギーパワーコントローラー４００の選択設置が可能である。出力端をＬＥＤ二方向性駆動回路Ｕ１００と並列接続し、かつ並列式二方向性電気エネルギーパワーコントローラー４００の入力端に電源からの二方向性電気エネルギーを入力する。並列式二方向性電気エネルギーパワーコントローラー４００を通して、電源からの二方向性電気エネルギーを調整制御し、パルス幅変調（Ｐｕｌｓｅ  Ｗｉｄｔｈ  Ｍｏｄｕｌａｔｉｏｎ）を行い、或いは、導電の位相角を制御し、或いは、インピーダンスを調整制御する等の方式でパワーを調整制御することにより、ＬＥＤ二方向性駆動回路Ｕ１００を駆動する。
【００７４】
（２）或いは、ニーズによって並列式直流の電気エネルギーパワーコントローラー４００の選択設置が可能である。出力端を二方向性導電発光ダイオードセットＬ１００の入力端と並列接続し、かつ並列式二方向性電気エネルギーパワーコントローラー４００の入力端を第二インピーダンスＺ１０２と並列接続する。並列式二方向性電気エネルギーパワーコントローラー４００を通して、第二インピーダンスＺ１０２の両端からの並列共振（ｐａｒａｌｌｅｌ  ｒｅｓｏｎａｎｃｅ）を示す分圧二方向性電気エネルギーを調整制御し、パルス幅変調（Ｐｕｌｓｅ  Ｗｉｄｔｈ  Ｍｏｄｕｌａｔｉｏｎ）を行い、或いは、導電の位相角を制御し、或いは、インピーダンスを調整制御する等の方式でパワーを調整制御し、二方向性導電発光ダイオードセットＬ１００を駆動する。
【００７５】
３．図１４に本実施形態をＤＣ−ＡＣインバータより出力する電気エネルギーを受けてから駆動する回路の回路図を示す。
主な構成は下記を含む。
ＤＣ−ＡＣインバータ（ＤＣ  ｔｏ  ＡＣ  Ｉｎｖｅｒｔｅｒ）４０００は、よく使われるメカトロニクス或いは固体パワーコンポネント及び電子回路関連コンポネントより構成される。入力端にはニーズによって選定する固定或いは可変電圧の直流の電気エネルギーを入力し、或いは、交流電気エネルギーを整流後の直流電気エネルギーを入力する。出力端は、ニーズによって選定する固定或いは可変電圧、及び固定或いは可変交換極性周波数或いは周期の二方向性正弦波、二方向性方波或いは二方向性脈動波の二方向性交流電気エネルギーを出力することによって、二方向性電気エネルギーの電源を給電する。
【００７６】
回路の作動機能は下記の通りである。
ＬＥＤ二方向性駆動回路Ｕ１００をよく使われるＤＣ−ＡＣインバータ（ＤＣ  ｔｏ  ＡＣ  Ｉｎｖｅｒｔｅｒ）４０００の出力端に並列接続する。ＤＣ−ＡＣインバータ（ＤＣ  ｔｏ  ＡＣ  Ｉｎｖｅｒｔｅｒ）４０００の入力端にはニーズによって選定する固定或いは可変電圧直流電気エネルギーを入力し、或いは、交流電気エネルギーを整流後の直流電気エネルギーを入力する。
【００７７】
ＤＣ−ＡＣインバータ（ＤＣ  ｔｏ  ＡＣ  Ｉｎｖｅｒｔｅｒ）４０００の出力端は、ニーズによって選定する固定或いは可変電圧、及び固定或いは極性周期可変な二方向性正弦波、二方向性方波或いは二方向性脈動波の電気エネルギーを出力することによって、ＬＥＤ二方向性駆動回路Ｕ１００の中で直列連続する第一インピーダンスＺ１０１と第二インピーダンスＺ１０２の両端へ出力し、また第二インピーダンスＺ１０２の両端の分圧電気エネルギーを二方向性導電の発光ダイオードセットＬ１００へ出力する。
【００７８】
またＤＣ−ＡＣインバータ４０００の出力パワーの制御を通して、並列共振（ｐａｒａｌｌｅｌ  ｒｅｓｏｎａｎｃｅ）のＬＥＤ二方向性駆動回路Ｕ１００への出力或いは電気エネルギーの出力を制御することによって、パルス幅変調（Ｐｕｌｓｅ  Ｗｉｄｔｈ  Ｍｏｄｕｌａｔｉｏｎ）或いは導電の位相角を制御し、或いは、インピーダンスの調整制御等の方式でパワーを制御することによって、ＬＥＤ二方向性駆動回路Ｕ１００を制御及び駆動する。
【００７９】
４．ＬＥＤ二方向性駆動回路Ｕ１００をよく使われるインピーダンスコンポネント５００と直列に接続してから、電源と並列に接続する。インピーダンスコンポネント５００は下記を含む。
（１）インピーダンスコンポネント５００は、抵抗性インピーダンス特性を持つコンポネントより構成する。
（２）或いは、インピーダンスコンポネント５００は、誘導性インピーダンス特性を持つデバイスより構成する。
【００８０】
（３）或いは、インピーダンスコンポネント５００は、キャパシティブインピーダンス特性を持つコンポネントより構成する。
（４）或いは、インピーダンスコンポネント５００は、単一インピーダンスコンポネントが同時に抵抗性インピーダンス或いは誘導性インピーダンス或いはキャパシティブインピーダンスの中で少なくとも二種の合成インピーダンス特性を持つコンポネントより構成されることによって、直流性質のインピーダンス或いは交流性質のインピーダンスを提供する。
【００８１】
（５）或いは、インピーダンスコンポネント５００は、単一インピーダンスコンポネントが誘導性インピーダンス及びキャパシティブインピーダンスの合成インピーダンス特性を持つコンポネントより構成される。かつその固有並列共振（ｐａｒａｌｌｅｌ  ｒｅｓｏｎａｎｃｅ）周波数と電源からの二方向性電気エネルギーの周波数或いは周期は同じで、また並列共振（ｐａｒａｌｌｅｌ  ｒｅｓｏｎａｎｃｅ）状態になることが可能である。
【００８２】
（６）或いは、インピーダンスコンポネント５００は、キャパシティブインピーダンスコンポネント、誘導性インピーダンスコンポネント或いは抵抗性インピーダンスコンポネントより構成され、その中の一種或いは一種以上を含む。及び一個或いは一個以上のインピーダンスコンポネントより構成され、或いは、二種或いは二種以上の直列に接続するインピーダンスコンポネントを採用し、或いは、並列や直並列接続により構成され、直流性質のインピーダンス或いは交流性質のインピーダンスを提供する。
【００８３】
（７）或いは、インピーダンスコンポネント５００は、キャパシティブインピーダンスコンポネントと誘導性インピーダンスコンポネントが互いに直列に接続することによって構成される。直列に接続してからの固有直列共振（ｓｅｒｉｅｓ  ｒｅｓｏｎａｎｃｅ）周波数と電源からの二方向性電気エネルギーの周波数或いは周期は同じで、かつ直列共振（ｓｅｒｉｅｓ  ｒｅｓｏｎａｎｃｅ）状態を形成する。また相対的にキャパシティブインピーダンスコンポネント或いは誘導性インピーダンスコンポネントの両端に直列共振（ｓｅｒｉｅｓ  ｒｅｓｏｎａｎｃｅ）を示す相対端の電圧を形成することが可能である。
【００８４】
或いは、キャパシティブインピーダンスと誘導性インピーダンスコンポネントを互いに並列接続し、並列接続してからの固有並列共振（ｐａｒａｌｌｅｌ  ｒｅｓｏｎａｎｃｅ）周波数と電源からの二方向性電気エネルギーの周波数或いは周期は同じで、かつ並列共振（ｐａｒａｌｌｅｌ  ｒｅｓｏｎａｎｃｅ）状態を形成し、及び相対の端電圧を形成することが可能である。
図１５に本実施形態をインピーダンスコンポネントと直列に接続する回路の回路図を示す。
【００８５】
５．少なくとも二個の第４項で述べたインピーダンスコンポネント５００は、メカトロニクスコンポネント或いは固体コンポネントとの接続によって、スイッチユニット６００を構成し、かつ直列、並列、直並列接続の切り替えを行うことにより、ＬＥＤ二方向性駆動回路Ｕ１００のパワーの出力を調節制御する。図１６に本実施形態のインピーダンスコンポネントをスイッチ装置に通して、直列、並列、直並列に接続する制御回路の回路図を示す。
【００８６】
本実施形態の並列共振ＬＥＤ二方向性駆動回路において、第二インピーダンスＺ１０２の誘導性インピーダンスコンポネントＩ２００の選択は、更に誘導効果を持つ変圧器の電源巻線セットによって取り替えられることが可能である。変圧器は、単巻変圧巻線を持つ単巻変圧器ＳＴ２００であり、或いは、分離式変圧巻線を持つ変圧器ＩＴ２００を選択することが可能である。
【００８７】
図１７に本実施形態を単巻変圧器の単巻変圧の電源巻線によって第二インピーダンスの誘導性インピーダンスコンポネントを取り替える昇圧回路の回路図を示す。図１７に単巻変圧器ＳＴ２００の昇圧機能を持つ単巻変圧巻線Ｗ０を示す。単巻変圧器ＳＴ２００の単巻変圧巻線Ｗ０のｂ端、ｃ端を電源側とし、第二インピーダンスＺ１０２の中の誘導性インピーダンスコンポネントＩ２００を取り替えることによって、コンデンサーＣ２００と並列に接続する。並列接続後の固有並列共振周波数は、電源からの二方向性電気エネルギーが、例えば、交流電気エネルギー周波数或いは直流電気エネルギーによって転換される固定或いは可変電圧及び固定或いは可変交換極性周期の電気エネルギーの交換極性周期と同じである。かつ並列共振（ｐａｒａｌｌｅｌ  ｒｅｓｏｎａｎｃｅ）状態を形成することによって、第二インピーダンスＺ１０２を構成し、第一インピーダンスＺ１０１を構成するコンデンサーＣ１００と直列に接続する。コンデンサーＣ２００は単巻変圧器ＳＴ２００のタップ（ＴＡＰ）のａ、ｃ間或いはｂ、ｃ間或いはほかのニーズによってタップ間での並列接続の選択が可能である。単巻変圧器ＳＴ２００の単巻変圧巻線Ｗ０のａ出力端、ｃ出力端より昇圧交流の電気エネルギーを出力することにより、二方向性導電発光ダイオードセットＬ１００を駆動する。
【００８８】
図１８に本実施形態を単巻変圧器の単巻変圧の電源巻線によって第二インピーダンスの誘導性インピーダンスコンポネントを取り替える降圧回路の回路図を示す。図１８に単巻変圧器ＳＴ２００の降圧機能を持つ単巻変圧巻線Ｗ０を示す。単巻変圧器ＳＴ２００の単巻変圧巻線Ｗ０のａ端、ｃ端を電源側とし、第二インピーダンスＺ１０２の中の誘導性インピーダンスコンポネントＩ２００を取り替えることによって、コンデンサーＣ２００と並列に接続する。並列接続後の固有並列共振（ｐａｒａｌｌｅｌ  ｒｅｓｏｎａｎｃｅ）周波数は、電源からの二方向性電気エネルギーが、例えば、交流電気エネルギー周波数或いは直流電気エネルギーによって転換される固定或いは可変交換極性周期の電気エネルギーの交換極性周期と同じで、かつ並列共振（ｐａｒａｌｌｅｌ  ｒｅｓｏｎａｎｃｅ）状態を形成する。第二インピーダンスＺ１０２を構成し、第一インピーダンスＺ１０１を構成するコンデンサーＣ１００と直列に接続する。コンデンサーＣ２００は、単巻変圧器ＳＴ２００のタップ（ＴＡＰ）のａ、ｃ間或いはｂ、ｃ間或いはほかのニーズによってタップ間での並列接続の選択が可能である。単巻変圧器ＳＴ２００の単巻変圧巻線Ｗ０のｂ出力端、ｃ出力端より降圧交流の電気エネルギーを出力することにより、二方向性導電発光ダイオードセットＬ１００を駆動する。
【００８９】
図１９に本実施形態を分離式変圧巻線の分離式変圧器の一次巻線によって第二インピーダンスの誘導性インピーダンスコンポネントを取り替える回路の回路図を示す。図１９の中にある分離式変圧器ＩＴ２００は、一次巻線Ｗ１及び二次巻線Ｗ２によって構成される。一次巻線Ｗ１と二次巻線Ｗ２の二者が分離され、一次巻線Ｗ１はコンデンサーＣ２００と並列に接続する。並列接続後の固有並列共振（ｐａｒａｌｌｅｌ  ｒｅｓｏｎａｎｃｅ）周波数は、電源からの二方向性電気エネルギーが、例えば、交流電気エネルギー周波数或いは直流電気エネルギーによって転換される固定或いは可変交換極性周期の電気エネルギーの交換極性周期と同じで、かつ並列共振（ｐａｒａｌｌｅｌ  ｒｅｓｏｎａｎｃｅ）状態を形成することによって、第二インピーダンスＺ１０２を構成して、第一インピーダンスＺ１０１を構成するコンデンサーＣ１００と直列に接続する。コンデンサーＣ２００は、単巻変圧器ＳＴ２００のタップ（ＴＡＰ）のａ、ｃ間或いはｂ、ｃ間或いはほかのニーズによってタップ間での並列接続の選択が可能である。分離式変圧器ＩＴ２００の二次巻線Ｗ２の出力電圧は、ニーズによって昇圧或いは降圧に選択することが可能で、二次巻線の出力の交流の電気エネルギーは二方向性導電発光ダイオードセットＬ１００へ出力する。
【００９０】
上記を通して、変圧器の電源巻線によって第二インピーダンスＺ１０２の中の誘導性インピーダンスコンポネントＩ２００を取り換え、コンデンサーＣ２００と並列に接続し、並列共振（ｐａｒａｌｌｅｌ  ｒｅｓｏｎａｎｃｅ）を形成することによって、第二インピーダンスＺ１０２を構成する。分離式変圧器ＩＴ２００の二次側の昇圧出力の交流電圧或いは降圧出力の交流の電気エネルギーにより、二方向性導電発光ダイオードセットＬ１００を駆動する。
【００９１】
本実施形態の並列共振ＬＥＤ二方向性駆動回路では、ＬＥＤ二方向性駆動回路Ｕ１００の二方向性導電発光ダイオードセットＬ１００を構成する個別発光ダイオードＬＥＤ１０１の色は、ニーズによって一種或いは一種以上の色によって構成する選択が可能である。
本実施形態の並列共振ＬＥＤ二方向性駆動回路は、ＬＥＤ二方向性駆動回路Ｕ１００の中で二方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００９２】
本実施形態の並列共振ＬＥＤ二方向性駆動回路では、ＬＥＤ二方向性駆動回路Ｕ１００の中にある回路コンポネントセットの構成形態は下記を含む。（１）個別回路コンポネントより単独構成してから、互いに接続する。（２）少なくとも二個の回路コンポネントセットによって組み立ててから、少なくとも二個の一部の機能のユニットを互いに接続する。（３）全体が一体構造を示す。
上記をまとめると、本実施形態の並列共振ＬＥＤ二方向性駆動回路は、キャパシティブ単極性充放電によって発光ダイオードを駆動して、進歩した電気節約、低熱ロス、コスト削減機能を特徴とする。
【符号の説明】
【００９３】
３００：直列式二方向性電気エネルギーパワーコントローラー、４００：並列式二方向性電気エネルギーパワーコントローラー、５００：インピーダンスコンポネント、６００：スイッチユニット、４０００：ＤＣ−ＡＣインバータ、Ｃ１００：コンデンサー、Ｃ２００：コンデンサー、ＣＲ１００：ダイオード、ＣＲ１０１：ダイオード、ＣＲ１０２：ダイオード、ＣＲ２０１：ダイオード、ＣＲ２０２：ダイオード、ＥＳＤ１０１：充放電可能装置、ＥＳＤ１０２：充放電可能装置、Ｉ１００：誘導性インピーダンスコンポネント、Ｉ１０３：誘導性インピーダンスコンポネント、Ｉ１０４：誘導性インピーダンスコンポネント、Ｉ２００：誘導性インピーダンスコンポネント、ＩＴ２００：分離式変圧器、Ｌ１００：二方向性導電発光ダイオードセット、ＬＥＤ１０１：第一発光ダイオード、ＬＥＤ１０２：第二発光ダイオード、Ｒ１００：限流抵抗、Ｒ１０１：放電抵抗、Ｒ１０３：限流抵抗、Ｒ１０４：限流抵抗、ＳＴ２００：単巻変圧器、Ｕ１００：ＬＥＤ二方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１：ツェナーダイオード、ＺＤ１０２：ツェナーダイオード
【図１】
2009170917.tif 000003
【図２】
2009170917.tif 000004
【図３】
2009170917.tif 000005
【図４】
2009170917.tif 000006
【図５】
2009170917.tif 000007
【図６】
2009170917.tif 000008
【図７】
2009170917.tif 000009
【図８】
2009170917.tif 000010
【図９】
2009170917.tif 000011
【図１０】
2009170917.tif 000012
【図１１】
2009170917.tif 000013
【図１２】
2009170917.tif 000014
【図１３】
2009170917.tif 000015
【図１４】
2009170917.tif 000016
【図１５】
2009170917.tif 000017
【図１６】
2009170917.tif 000018
【図１７】
2009170917.tif 000019
【図１８】
2009170917.tif 000020
【図１９】
2009170917.tif 000021
【外国語明細書】
2009170917.tif 000022
2009170917.tif 000023
2009170917.tif 000024
2009170917.tif 000025
2009170917.tif 000026
2009170917.tif 000027
2009170917.tif 000028
2009170917.tif 000029
2009170917.tif 000030
2009170917.tif 000031
2009170917.tif 000032
2009170917.tif 000033
2009170917.tif 000034
2009170917.tif 000035
2009170917.tif 000036
2009170917.tif 000037
2009170917.tif 000038
2009170917.tif 000039
2009170917.tif 000040
2009170917.tif 000041
2009170917.tif 000042
2009170917.tif 000043
2009170917.tif 000044
2009170917.tif 000045
2009170917.tif 000046
2009170917.tif 000047
2009170917.tif 000048
2009170917.tif 000049
2009170917.tif 000050
2009170917.tif 000051
2009170917.tif 000052
2009170917.tif 000053
2009170917.tif 000054
2009170917.tif 000055
2009170917.tif 000056
2009170917.tif 000057
2009170917.tif 000058
2009170917.tif 000059
2009170917.tif 000060
2009170917.tif 000061
2009170917.tif 000062
2009170917.tif 000063
2009170917.tif 000064
2009170917.tif 000065
2009170917.tif 000066
2009170917.tif 000067
2009170917.tif 000068
2009170917.tif 000069
2009170917.tif 000070
2009170917.tif 000071
2009170917.tif 000072
2009170917.tif 000073
2009170917.tif 000074
2009170917.tif 000075
2009170917.tif 000076
2009170917.tif 000077
2009170917.tif 000078
2009170917.tif 000079
2009170917.tif 000080
2009170917.tif 000081
2009170917.tif 000082
2009170917.tif 000083
2009170917.tif 000084
2009170917.tif 000085
2009170917.tif 000086
2009170917.tif 000087
2009170917.tif 000088
2009170917.tif 000089